(57)【要約】【課題】セルの関係の設定を効果的に行うことができるセル関係設定装置、セル関係設定方法およびセル関係設定プログラムを提供する。【解決手段】セル関係設定装置（一例として、隣接セル関係自動設定装置１）は、ハンドオーバに関するメッセージに基づいて、セルの関係を記述するテーブルに未記述であるセルの存在が検出された場合に、当該セルの関係が前記テーブルに記述されるように前記テーブルを設定し、当該セルを形成する基地局について基地局間の直接通信のインターフェースを設定するセル関係設定部（一例として、ＨＯ失敗に基づくＡＮＲ機能部１４）を備える、ことを特徴とする。【選択図】図１
2013192095.tif 000002
【特許請求の範囲】
【請求項１】
ハンドオーバに関するメッセージに基づいて、セルの関係を記述するテーブルに未記述であるセルの存在が検出された場合に、当該セルの関係が前記テーブルに記述されるように前記テーブルを設定し、当該セルを形成する基地局について基地局間の直接通信のインターフェースを設定するセル関係設定部を備える、
ことを特徴とするセル関係設定装置。
【請求項２】
前記セル関係設定部は、あらかじめ定められたメッセージの回数があらかじめ定められた閾値以上となった場合に、前記テーブルの設定および前記インターフェースの設定を行う、
ことを特徴とする請求項１に記載のセル関係設定装置。
【請求項３】
ハンドオーバに関するメッセージに基づいて、セルの関係を記述するテーブルに未記述であるセルの存在が検出された場合に、セルの関係の設定用のＭＲ（Ｍｅａｓｕｒｅｍｅｎｔ  Ｒｅｐｏｒｔ）を送信するための送信条件における受信電力レベルに対する閾値であるＭＲ閾値を下げるように設定するセル関係設定用ＭＲ閾値設定部を備える、
ことを特徴とするセル関係設定装置。
【請求項４】
前記セル関係設定用ＭＲ閾値設定部は、あらかじめ定められたメッセージの回数があらかじめ定められた閾値以上となった場合に、前記ＭＲ閾値の設定を行う、
ことを特徴とする請求項３に記載のセル関係設定装置。
【請求項５】
前記セル関係設定用ＭＲ閾値設定部は、前記セルの関係が前記テーブルに記述された場合に、前記ＭＲ閾値を上げるように設定する、
ことを特徴とする請求項３または請求項４に記載のセル関係設定装置。
【請求項６】
前記した、ハンドオーバに関するメッセージに基づいて、セルの関係を記述するテーブルに未記述であるセルの存在が検出された場合として、自セル以外のセルのＰＣＩの情報を含むＲＲＣ  Ｃｏｎｎｅｃｔｉｏｎ  Ｒｅｅｓｔａｂｌｉｓｈｍｅｎｔ  Ｒｅｑｕｅｓｔのメッセージがあり、当該ＰＣＩに対応する当該セルの関係が前記テーブルに未記述である場合を用いる、
ことを特徴とする請求項１から請求項５のいずれか１項に記載のセル関係設定装置。
【請求項７】
前記した、ハンドオーバに関するメッセージに基づいて、セルの関係を記述するテーブルに未記述であるセルの存在が検出された場合として、前記テーブルに未記述であるセルに対してＴｓｔｏｒｅ＿ＵＥ＿ｃｎｔｘｔの時間以内にＵＥ  ＣＯＮＴＥＸＴ  ＲＥＬＥＡＳＥのメッセージが送信されたＣ−ＲＮＴＩについてＲＬＦ  Ｉｎｄｉｃａｔｉｏｎのメッセージがあった場合を用いる、
ことを特徴とする請求項１から請求項５のいずれか１項に記載のセル関係設定装置。
【請求項８】
前記した、ハンドオーバに関するメッセージに基づいて、セルの関係を記述するテーブルに未記述であるセルの存在が検出された場合として、ハンドオーバレポートタイプがＨＯ  ｔｏ  Ｗｒｏｎｇ  Ｃｅｌｌであるハンドオーバレポートのメッセージがあり、当該メッセージのＲｅｅｓｔａｂｌｉｓｈｍｅｎｔ  ＣｅｌｌのＰＣＩに対応するセルの関係が前記テーブルに未記述である場合を用いる、
ことを特徴とする請求項１から請求項５のいずれか１項に記載のセル関係設定装置。
【請求項９】
セル関係設定部が、ハンドオーバに関するメッセージに基づいて、セルの関係を記述するテーブルに未記述であるセルの存在が検出された場合に、当該セルの関係が前記テーブルに記述されるように前記テーブルを設定し、当該セルを形成する基地局について基地局間の直接通信のインターフェースを設定する、
ことを特徴とするセル関係設定方法。
【請求項１０】
セル関係設定用ＭＲ閾値設定部が、ハンドオーバに関するメッセージに基づいて、セルの関係を記述するテーブルに未記述であるセルの存在が検出された場合に、セルの関係の設定用のＭＲ（Ｍｅａｓｕｒｅｍｅｎｔ  Ｒｅｐｏｒｔ）を送信するための送信条件における受信電力レベルに対する閾値であるＭＲ閾値を下げるように設定する、
ことを特徴とするセル関係設定方法。
【請求項１１】
セル関係設定部が、ハンドオーバに関するメッセージに基づいて、セルの関係を記述するテーブルに未記述であるセルの存在が検出された場合に、当該セルの関係が前記テーブルに記述されるように前記テーブルを設定し、当該セルを形成する基地局について基地局間の直接通信のインターフェースを設定するステップを、
コンピュータに実行させるためのセル関係設定プログラム。
【請求項１２】
セル関係設定用ＭＲ閾値設定部が、ハンドオーバに関するメッセージに基づいて、セルの関係を記述するテーブルに未記述であるセルの存在が検出された場合に、セルの関係の設定用のＭＲ（Ｍｅａｓｕｒｅｍｅｎｔ  Ｒｅｐｏｒｔ）を送信するための送信条件における受信電力レベルに対する閾値であるＭＲ閾値を下げるように設定するステップを、
コンピュータに実行させるためのセル関係設定プログラム。
【発明の詳細な説明】
【技術分野】
【０００１】
本発明は、セル関係設定装置、セル関係設定方法およびセル関係設定プログラムに関する。
【背景技術】
【０００２】
移動無線通信システムでは、各基地局は、隣接セルの関係を設定するテーブルである隣接セルリスト（ＮＲＴ：Ｎｅｉｇｈｂｏｒ  Ｒｅｌａｔｉｏｎ  Ｔａｂｌｅ）を保持する。
隣接セルリストに登録されたセルについて、当該セルへのハンドオーバを円滑に実施するための詳細な設定が可能となる。
また、隣接セルリストに基づいて基地局がコアネットワークを介さずに基地局同士で直接通信するためのＸ２インターフェース（Ｘ２回線）を接続確立することで、迅速なハンドオーバ（Ｘ２ハンドオーバ）や、基地局の負荷などに関する情報の交換が、可能となる。
【０００３】
隣接セル関係自動設定（ＡＮＲ：Ａｕｔｏｍａｔｉｃ  Ｎｅｉｇｈｂｏｒ  Ｒｅｌａｔｉｏｎ）の機能は、隣接セルリストを自動更新するための仕組みである（例えば、非特許文献１参照。）。
【０００４】
図５を参照して、隣接セルリストの自動設定（自動更新も含む）を説明する。
この例では、３ＧＰＰにおいて規定されている隣接セル関係自動設定機能の動作の概要を示す。
図５は、第１の基地局（基地局＃１）と、第２の基地局（基地局＃２）と、基地局＃１の通信エリア（エリア＃１）と、基地局＃２の通信エリア（エリア＃２）と、移動端末１００１を示す。
また、図５は、基地局＃１の記憶部（例えば、メモリ）に記憶された隣接セルリスト１０１１を示す。
【０００５】
隣接セルリスト１０１１は、Ｓｏｕｒｃｅ  Ｐｈｙｓｉｃａｌ  Ｃｅｌｌ  ＩＤ（ソースのＰｈｙｓｉｃａｌ  Ｃｅｌｌ  ＩＤ）と、Ｔａｒｇｅｔ  Ｐｈｙｓｉｃａｌ  Ｃｅｌｌ  ＩＤ（ターゲットのＰｈｙｓｉｃａｌ  Ｃｅｌｌ  ＩＤ）と、Ｔａｒｇｅｔ  ＥＣＧＩ（ターゲットのＥＣＧＩ）などを、対応付けて記憶する。
ここで、Ｓｏｕｒｃｅ  Ｐｈｙｓｉｃａｌ  ＩＤは、自局（この例では、基地局＃１）のセルの識別情報（ＩＤ）であり、例えば、全国で繰り返して重複して使用され得る。
また、Ｔａｒｇｅｔ  Ｐｈｙｓｉｃａｌ  Ｃｅｌｌ  ＩＤは、他局（この例では、基地局＃１以外の基地局）のセルの識別情報（ＩＤ）であり、例えば、全国で繰り返して重複して使用され得る。
また、Ｔａｒｇｅｔ  ＥＣＧＩは、前記他局（この例では、基地局＃１以外の基地局）のセルに固有の番号の情報である。ＥＣＧＩは、例えば、全国で、各基地局のセルに固有の番号の情報である。
【０００６】
各基地局は、隣接セルリストを記憶する。
この場合、ソースとなる自局（基地局）のセルの情報や、当該ソースとなる自局（基地局）のセルに対して隣接するとされる他局（基地局）のセルの情報が、隣接セルリストに記憶される。
【０００７】
以下（背景技術および課題の説明）では、説明の便宜上、１個の基地局と１個のセルが対応しているとみなして説明する。
つまり、例えば、１個の基地局が１個（のみ）のセルを有する場合、または、１個の基地局が複数個のセルを有するが、隣接するとされる２個以上の別の基地局（それぞれの基地局のセルは１個ずつ特定されるとする）の間のセルの関係を設定する場合を例として説明する。
【０００８】
図５を参照して、隣接セルリストの自動設定（自動更新も含む）の処理の手順の一例（１）〜（５）を説明する。
（１）まず、移動端末１００１は、接続基地局（基地局＃１）の隣接セルリスト１０１１に登録されていない未知の基地局（基地局＃２）からの電波を受信したとする。
（２）このとき、移動端末１００１は、その電力レベル（受信電力レベル）がＡＮＲ用のＭＲ（Ｍｅａｓｕｒｅｍｅｎｔ  Ｒｅｐｏｒｔ）の送信条件を満たす場合には、接続基地局（基地局＃１）に対して新規セルを検知したこと（レポート）を送信して通知する。
（３）ＡＮＲ用ＭＲを受信した基地局（基地局＃１）は、移動端末１００１に対して新規セルのＥＣＧＩ（Ｅ−ＵＴＲＡＮ  Ｃｅｌｌ  Ｇｌｏｂａｌ  ＩＤ）を取得するように通知する。移動端末１００１は、取得したＥＣＧＩを基地局（基地局＃１）に対して送信する。これにより、新規に発見された基地局（基地局＃２）のＥＣＧＩが解決される。
（４）これらの情報をもとに、接続基地局（基地局＃１）と新規発見基地局（基地局＃２）は、互いのセルをそれぞれの隣接セルリストに登録する。
（５）そして、接続基地局（基地局＃１）と新規発見基地局（基地局＃２）は、基地局間で直接通信を行うインターフェースであるＸ２インターフェースの接続を確立する。
【０００９】
また、隣接セルリストの自動設定（自動更新も含む）の処理の手順の他の一例（１）〜（４）を説明する。
（１）まず、移動端末１００１は、接続基地局（基地局＃１）に対してハンドオーバ（ＨＯ：Ｈａｎｄｏｖｅｒ）用のＭＲを送信して通知する。
（２）接続基地局（基地局＃１）は、移動端末１００１から送信されたハンドオーバ用ＭＲに未知のセルＩＤが含まれていた場合には、移動端末１００１に対して新規セルのＥＣＧＩを取得するように通知する。移動端末１００１は、取得したＥＣＧＩを基地局（基地局＃１）に対して送信する。これにより、新規に発見された基地局（基地局＃２）のＥＣＧＩが解決される。
（３）これらの情報をもとに、接続基地局（基地局＃１）と新規発見基地局（基地局＃２）は、互いのセルをそれぞれの隣接セルリストに登録する。
（４）そして、接続基地局（基地局＃１）と新規発見基地局（基地局＃２）は、基地局間を直接接続するインターフェースであるＸ２インターフェースの接続を確立する。
【００１０】
図６を参照して、ＬＴＥ（Ｌｏｎｇ  Ｔｅｒｍ  Ｅｖｏｌｕｔｉｏｎ）におけるハンドオーバの実行手順の例を説明する。
ハンドオーバ処理は、移動端末が送信したＭＲを基地局が受信することを契機として開始される。
【００１１】
図６は、ＬＴＥにおけるハンドオーバおよびその実施条件の例を示す図である。
図６は、第１の基地局（基地局＃１）と、第２の基地局（基地局＃２）と、基地局＃１の通信エリア（エリア＃１）と、基地局＃２の通信エリア（エリア＃２）と、移動端末１１０１−１、１１０１−２を示す。
ここで、移動前の移動端末１１０１−１と移動後の移動端末１１０１−２は、同一の移動端末を表し、異なる位置に存在する場合を表す。
【００１２】
移動端末１１０１−１（移動端末１１０１−２）について、基地局＃１のエリア＃１から基地局＃２のエリア＃２へのハンドオーバ（ＨＯ）に関して、次の（１）〜（５）の処理が行われる。
（１）基地局＃１が、移動端末１１０１−１に対して、ハンドオーバ要求（ＨＯ要求）の送信条件を指定する。
（２）移動端末１１０１−１が、指定されたＨＯ要求の送信条件が満たされた場合に、ＨＯ要求を送信する。
（３）ＨＯ要求を受信した基地局＃１が、移動端末１１０１−２に対して、ハンドオーバ指示（ＨＯ指示）を行う。
（４）ハンドオーバを実行（ＨＯ実行）する。
（５）移動端末１１０１−２が、基地局＃２に対して、ハンドオーバの完了（ＨＯ完了）を報告する。
【００１３】
図６には、横軸に時間を表し、縦軸に接続セルの電力の特性１１１１および隣接セルの電力の特性１１１２を表すグラフを示してある。
接続セルは、移動端末が接続している基地局（接続基地局）のセルのことであり、また、隣接セルは、接続セルに対して隣接するとされるセルを有する基地局（隣接基地局）の当該セルのことである。
なお、複数個のセルを有する同一の基地局の２つのセルが接続セルと隣接セルになることもあり得るが、ここでは、異なる基地局のセルをそれぞれ接続セル、隣接セルとして、説明する。
【００１４】
移動端末がハンドオーバ要求を送信する条件としては、次の＜送信条件（１）＞、＜送信条件（２）＞がある。
＜送信条件（１）＞
隣接基地局（隣接セル）と接続基地局（接続セル）との電力差（ハンドオーバマージン）が所定の閾値以上となる、という送信条件がある。なお、電力値の差である電力差の代わりに、電力品質値の差である電力品質差を用いることもできる。
＜送信条件（２）＞
前記した＜送信条件（１）＞の状態が所定の時間（一定時間）以上満たされる、という送信条件がある。
【００１５】
ここで、ハンドオーバマージンは、（隣接基地局（隣接セル）からの受信電力値もしくは受信電力品質値）から（接続基地局（接続セル）からの受信電力値もしくは受信電力品質値）を減算した結果である。
ハンドオーバマージンの閾値を小さい値に設定すると、ハンドオーバのタイミングが早くなり、逆に、ハンドオーバマージンの閾値を大きい値に設定すると、ハンドオーバのタイミングが遅くなる。
【００１６】
ＬＴＥでは、移動端末がハンドオーバ要求として送信したＭＲを基地局が受信することを契機として、ハンドオーバ処理が行われる。
ＭＲには送信判定条件が異なる複数の種類が定義されているが、ここでは、その中でハンドオーバ処理の判定に利用されることが多いＡ３  ＭＲについて説明する。
Ａ３  ＭＲは、式（１）の条件式が一定期間（ＴＴＴ：Ｔｉｍｅ  Ｔｏ  Ｔｒｉｇｇｅｒ）以上満たされるときに、移動端末から接続基地局へ送信される（例えば、非特許文献２参照。）。
【００１７】
【数１】
2013192095.tif 000003
【００１８】
ここで、式（１）に関し、ｓおよびｎは、それぞれ、接続基地局および隣接基地局を表す基地局ＩＤである。
Ｍ（ｓ，ｓ）およびＭ（ｓ，ｎ）は、それぞれ、移動端末が観測した接続基地局ｓおよび隣接基地局ｎに関する電力値（ＲＳＲＰ：Ｒｅｆｅｒｅｎｃｅ  Ｓｉｇｎａｌ  Ｒｅｃｅｉｖｅｄ  Ｐｏｗｅｒ）［ｄＢｍ］または電力品質値（ＲＳＲＱ：Ｒｅｆｅｒｅｎｃｅ  Ｓｉｇｎａｌ  Ｒｅｃｅｉｖｅｄ  Ｑｕａｌｉｔｙ）［ｄＢ］である。
【００１９】
また、式（１）に関し、前記したＭ（ｓ，ｓ）およびＭ（ｓ，ｎ）以外の変数は、オペレータが設定することが可能なシステムパラメータである。
具体的には、Ｏｆ（ｓ，ｓ）、 Ｏｃ（ｓ，ｓ）は、それぞれ、接続基地局ｓの周波数に応じて設定するオフセット値および接続基地局ｓに固有なオフセット値である。
同様に、Ｏｆ（ｓ，ｎ），Ｏｃ（ｓ，ｎ）は、それぞれ、隣接基地局ｎの周波数に応じて設定するオフセット値および接続基地局ｓが隣接基地局ｎごとに設定するオフセット値（セル個別オフセット値）である。
また、Ｈｙｓ（ｓ）およびＯｆｆＡ３（ｓ）は、接続基地局ｓごとに設定するパラメータであり、それぞれ、ヒステリシスと呼ばれるオフセット値およびＡ３  ＭＲに固有なオフセット値である。
【００２０】
ここで、条件式である（１）で決まるＭＲの送信タイミングが不適切に設定されている場合には、ハンドオーバの失敗が発生してしまう。
ハンドオーバが失敗する事象は、大きく分けて、Ｔｏｏ  Ｌａｔｅ  ＨＯ、Ｔｏｏ  Ｅａｒｌｙ  ＨＯ、ＨＯ  ｔｏ  Ｗｒｏｎｇ  Ｃｅｌｌという、以下の３つに分類することができる（例えば、非特許文献１参照。）。
【００２１】
図７を参照して、Ｔｏｏ  Ｌａｔｅ  ＨＯについて説明する。
図７は、Ｔｏｏ  Ｌａｔｅ  ＨＯの発生と検知の手順の例を示す図である。
図７は、第１の基地局（基地局＃１）と、第２の基地局（基地局＃２）と、基地局＃１の通信エリア（エリア＃１）と、基地局＃２の通信エリア（エリア＃２）と、移動端末１２０１−１、１２０１−２を示す。
ここで、移動前の移動端末１２０１−１と移動後の移動端末１２０１−２は、同一の移動端末を表し、異なる位置に存在する場合を表す。
また、この例では、基地局＃１のセルをセルＡとし、基地局＃２のセルをセルＢとする。
【００２２】
まず、セルＡに接続していた移動端末１２０１−１（移動端末１２０１−２）が、ハンドオーバ処理を開始する前もしくは開始した直後に、手順（１）において、当該セルＡとの接続断が発生し、ハンドオーバに失敗する。その後、移動端末１２０１−２（移動端末１２０１−１）は、手順（２）において、セルＢと再接続（ＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｅｓｔａｂｌｉｓｈｍｅｎｔ）する。以上がＴｏｏ  Ｌａｔｅ  ＨＯの発生である。
そして、再接続されたセルＢ（基地局＃２）は、手順（３）において、セルＡ（基地局＃１）に対して、ＲＬＦ（Ｒａｄｉｏ  Ｌｉｎｋ  Ｆａｉｌｕｒｅ）  Ｉｎｄｉｃａｔｉｏｎを送信する。ＲＬＦ  Ｉｎｄｉｃａｔｉｏｎを受信したセルＡ（基地局＃１）は、セルＢに対するＴｏｏ  Ｌａｔｅ  ＨＯの発生を検知する。
【００２３】
図８を参照して、Ｔｏｏ  Ｅａｒｌｙ  ＨＯについて説明する。
図８は、Ｔｏｏ  Ｅａｒｌｙ  ＨＯの発生と検知の手順の例を示す図である。
図８は、第１の基地局（基地局＃１）と、第２の基地局（基地局＃２）と、基地局＃１の通信エリア（エリア＃１）と、基地局＃２の通信エリア（エリア＃２）と、移動端末１３０１−１、１３０１−２を示す。
ここで、移動前の移動端末１３０１−１と移動後の移動端末１３０１−２は、同一の移動端末を表し、異なる位置に存在する場合を表す。
また、この例では、基地局＃１のセルをセルＡとし、基地局＃２のセルをセルＢとする。
【００２４】
まず、セルＡに接続していた移動端末１３０１−１（移動端末１３０１−２）が、ハンドオーバ処理を開始するための契機となるＭＲの送信条件を満たすと、手順（１）において、セルＡ（基地局＃１）にＭＲを送信する。続けて、手順（２）において、セルＢへのハンドオーバ処理を開始する。
しかし、ハンドオーバ処理の開始直後もしくはハンドオーバ処理の完了直後に、手順（３）において、移動端末１３０１−２（移動端末１３０１−１）とセルＢとの接続断が発生したとする。そして、手順（４）において、移動端末１３０１−２（移動端末１３０１−１）は、セルＡに再接続したとする。以上がＴｏｏ  Ｅａｒｌｙ  ＨＯの発生である。
そして、再接続されたセルＡ（基地局＃１）は、手順（５）において、セルＢ（基地局＃２）に対して、ＲＬＦ  Ｉｎｄｉｃａｔｉｏｎを送信する。セルＢ（基地局＃２）は、手順（２）におけるハンドオーバ処理の実施後に、一定の保留期間以内にＲＬＦ  Ｉｎｄｉｃａｔｉｏｎを受信した場合には、手順（６）において、セルＡ（基地局＃１）に対して、ハンドオーバレポート（Ｈａｎｄｏｖｅｒ  Ｒｅｐｏｒｔ）を送信する。ハンドオーバレポートを受信したセルＡ（基地局＃１）は、セルＢに対するＴｏｏ  Ｅａｒｌｙ  ＨＯの発生を検知する。
【００２５】
図９を参照して、ＨＯ  ｔｏ  Ｗｒｏｎｇ  Ｃｅｌｌについて説明する。
図９は、ＨＯ  ｔｏ  Ｗｒｏｎｇ  Ｃｅｌｌの発生と検知の手順の例を示す図である。
図９は、第１の基地局（基地局＃１）と、第２の基地局（基地局＃２）と、第３の基地局（基地局＃３）と、基地局＃１の通信エリア（エリア＃１）と、基地局＃２の通信エリア（エリア＃２）と、基地局＃３の通信エリア（エリア＃３）と、移動端末１４０１−１、１４０１−２を示す。
ここで、移動前の移動端末１４０１−１と移動後の移動端末１４０１−２は、同一の移動端末を表し、異なる位置に存在する場合を表す。
また、この例では、基地局＃１のセルをセルＡとし、基地局＃２のセルをセルＢとし、基地局＃３のセルをセルＣとする。
また、この例では、セルＡがＳｏｕｒｃｅ  Ｃｅｌｌ（ソースセル）であり、セルＢがＴａｒｇｅｔ  Ｃｅｌｌ（ターゲットセル）であり、セルＣがＲｅｃｏｎｎｅｃｔｉｏｎ  Ｃｅｌｌ（リコネクションセル）である。
【００２６】
まず、セルＡに接続していた移動端末１４０１−１（移動端末１４０１−２）が、セルＢへのハンドオーバ処理を開始するための契機となるＭＲの送信条件を満たすと、手順（１）において、セルＡ（基地局＃１）にＭＲを送信する。続けて、手順（２）において、セルＢへのハンドオーバ処理を開始する。
しかし、ハンドオーバ処理の開始直後もしくはハンドオーバ処理の完了直後に、手順（３）において、移動端末１４０１−２（移動端末１４０１−１）とセルＢとの接続断が発生したとする。そして、手順（４）において、移動端末１４０１−２（移動端末１４０１−１）は、セルＣに再接続したとする。以上がＨＯ  ｔｏ  Ｗｒｏｎｇ  Ｃｅｌｌの発生である。
そして、再接続されたセルＣ（基地局＃３）は、手順（５）において、セルＢ（基地局＃２）に対して、ＲＬＦ  Ｉｎｄｉｃａｔｉｏｎを送信する。セルＢ（基地局＃２）は、手順（２）におけるハンドオーバ処理の実施後に、一定の保留期間以内にＲＬＦ  Ｉｎｄｉｃａｔｉｏｎを受信した場合には、手順（６）において、セルＡ（基地局＃１）に対して、ハンドオーバレポート（Ｈａｎｄｏｖｅｒ  Ｒｅｐｏｒｔ）を送信する。ハンドオーバレポートを受信したセルＡ（基地局＃１）は、セルＢをＴａｒｇｅｔ  ＣｅｌｌとするとともにセルＣをＲｅｃｏｎｎｅｃｔｉｏｎ  ＣｅｌｌとするＨＯ  ｔｏ  Ｗｒｏｎｇ  Ｃｅｌｌの発生を検知する。
【先行技術文献】
【非特許文献】
【００２７】
【非特許文献１】３ＧＰＰ  ＴＳ３６．３００，ｖ９．８．０．２０１１−０９．
【非特許文献２】３ＧＰＰ  ＴＳ３６．３３１，ｖ９．３．０．２０１０−０６．
【発明の概要】
【発明が解決しようとする課題】
【００２８】
上記した図７や上記した図８に示されるハンドオーバ失敗の検知過程において、ＲＬＦ  Ｉｎｄｉｃａｔｉｏｎのメッセージやハンドオーバレポートのメッセージは、Ｘ２インターフェースを介して送信される。
【００２９】
図１０は、Ｔｏｏ  Ｌａｔｅ  ＨＯの発生時における課題の例を示す図である。
図１０には、図７に示されるのと同様なＴｏｏ  Ｌａｔｅ  ＨＯの発生時の状況を示してある。
Ｔｏｏ  Ｌａｔｅ  ＨＯが発生したときに、基地局＃２が基地局＃１を隣接セルリスト（ＮＲＴ）に登録しておらず、Ｘ２インターフェースが設定（接続確立）されていない場合には、ハンドオーバ失敗を検知した基地局＃２は基地局＃１に対してＲＬＦ  Ｉｎｄｉｃａｔｉｏｎのメッセージを送信することができない。このため、基地局＃１は、基地局＃２に対するＴｏｏ  Ｌａｔｅ  ＨＯの発生を知ることができない。そして、基地局＃１において、このＴｏｏ  Ｌａｔｅ  ＨＯのログが残らない。
【００３０】
図１１は、Ｔｏｏ  Ｅａｒｌｙ  ＨＯの発生時における課題の例を示す図である。
図１１には、図８に示されるのと同様なＴｏｏ  Ｅａｒｌｙ  ＨＯの発生時の状況を示してある。
Ｔｏｏ  Ｅａｒｌｙ  ＨＯが発生したときに、基地局＃１が基地局＃２を隣接セルリスト（ＮＲＴ）に登録しておらず、Ｘ２インターフェースが設定（接続確立）されていない場合には、ハンドオーバ失敗を検知した基地局＃１は基地局＃２に対してＲＬＦ  Ｉｎｄｉｃａｔｉｏｎのメッセージを送信することができない。このため、最終的に、基地局＃１は、基地局＃２に対するＴｏｏ  Ｅａｒｌｙ  ＨＯの発生を知ることができない。そして、基地局＃１において、このＴｏｏ  Ｅａｒｌｙ  ＨＯのログが残らない。
さらに、基地局＃２が基地局＃１を隣接セルリスト（ＮＲＴ）に登録しておらず、Ｘ２インターフェースが設定（接続確立）されていない場合には、ハンドオーバ失敗を検知した基地局＃２は基地局＃１に対してハンドオーバレポートのメッセージを送信することができない。このため、最終的に、基地局＃１は、基地局＃２に対するＴｏｏ  Ｅａｒｌｙ  ＨＯの発生を知ることができない。そして、基地局＃１において、このＴｏｏ  Ｅａｒｌｙ  ＨＯのログが残らない。
【００３１】
図１２は、ＨＯ  ｔｏ  Ｗｒｏｎｇ  Ｃｅｌｌの発生時における課題の例を示す図である。
図１２には、図９に示されるのと同様なＨＯ  ｔｏ  Ｗｒｏｎｇ  Ｃｅｌｌの発生時の状況を示してある。
ＨＯ  ｔｏ  Ｗｒｏｎｇ  Ｃｅｌｌが発生したときに、基地局＃３が基地局＃２を隣接セルリスト（ＮＲＴ）に登録しておらず、Ｘ２インターフェースが設定（接続確立）されていない場合には、ハンドオーバ失敗を検知した基地局＃３は基地局＃２に対してＲＬＦ  Ｉｎｄｉｃａｔｉｏｎのメッセージを送信することができない。このため、最終的に、基地局＃１は、基地局＃３に対するＨＯ  ｔｏ  Ｗｒｏｎｇ  Ｃｅｌｌの発生を知ることができない。そして、基地局＃１において、このＨＯ  ｔｏ  Ｗｒｏｎｇ  Ｃｅｌｌのログが残らない。
また、基地局＃２が基地局＃１を隣接セルリスト（ＮＲＴ）に登録しておらず、Ｘ２インターフェースが設定（接続確立）されていない場合には、基地局＃３からＲＬＦ  Ｉｎｄｉｃａｔｉｏｎのメッセージを受信した基地局＃２は基地局＃１に対してハンドオーバレポートのメッセージを送信することができない。このため、最終的に、基地局＃１は、基地局＃３に対するＨＯ  ｔｏ  Ｗｒｏｎｇ  Ｃｅｌｌの発生を知ることができない。そして、基地局＃１において、このＨＯ  ｔｏ  Ｗｒｏｎｇ  Ｃｅｌｌのログが残らない。
さらに、基地局＃１が基地局＃３を隣接セルリスト（ＮＲＴ）に登録していない場合には、基地局＃１では、基地局＃３に対するハンドオーバ失敗を記録するためのエントリーが存在しないため、基地局＃２から受信したハンドオーバレポートのメッセージを処理することができない。このため、基地局＃１は、基地局＃３に対するＨＯ  ｔｏ  Ｗｒｏｎｇ  Ｃｅｌｌの発生を知ることができない。そして、基地局＃１において、このＨＯ  ｔｏ  Ｗｒｏｎｇ  Ｃｅｌｌのログが残らない。
もしくは、仮に、基地局＃１が、基地局＃３に対するハンドオーバ失敗を記録できたとしても、隣接セルリスト（ＮＲＴ）に登録されていない基地局＃３に対してはハンドオーバに関する詳細な設定ができないため、ハンドオーバ失敗に基づくハンドオーバパラメータの調整をすることができない。
【００３２】
本発明は、このような事情を考慮してなされたもので、セルの関係の設定を効果的に行うことができるセル関係設定装置、セル関係設定方法およびセル関係設定プログラムを提供することを課題とする。
【課題を解決するための手段】
【００３３】
（１）上記の課題を解決するために、本発明に係るセル関係設定装置は、ハンドオーバに関するメッセージに基づいて、セルの関係を記述するテーブルに未記述であるセルの存在が検出された場合に、当該セルの関係が前記テーブルに記述されるように前記テーブルを設定し、当該セルを形成する基地局について基地局間の直接通信のインターフェースを設定するセル関係設定部を備える、ことを特徴とする。
【００３４】
（２）本発明は、上記した（１）に記載のセル関係設定装置において、前記セル関係設定部は、あらかじめ定められたメッセージの回数があらかじめ定められた閾値以上となった場合に、前記テーブルの設定および前記インターフェースの設定を行う、ことを特徴とする。
【００３５】
（３）上記の課題を解決するために、本発明に係るセル関係設定装置は、ハンドオーバに関するメッセージに基づいて、セルの関係を記述するテーブルに未記述であるセルの存在が検出された場合に、セルの関係の設定用のＭＲ（Ｍｅａｓｕｒｅｍｅｎｔ  Ｒｅｐｏｒｔ）を送信するための送信条件における受信電力レベルに対する閾値であるＭＲ閾値を下げるように設定するセル関係設定用ＭＲ閾値設定部を備える、ことを特徴とする。
【００３６】
（４）本発明は、上記した（３）に記載のセル関係設定装置において、前記セル関係設定用ＭＲ閾値設定部は、あらかじめ定められたメッセージの回数があらかじめ定められた閾値以上となった場合に、前記ＭＲ閾値の設定を行う、ことを特徴とする。
【００３７】
（５）本発明は、上記した（３）または上記した（４）に記載のセル関係設定装置において、前記セル関係設定用ＭＲ閾値設定部は、前記セルの関係が前記テーブルに記述された場合に、前記ＭＲ閾値を上げるように設定する、ことを特徴とする。
【００３８】
（６）本発明は、上記した（１）から上記した（５）のいずれか１つに記載のセル関係設定装置において、前記した、ハンドオーバに関するメッセージに基づいて、セルの関係を記述するテーブルに未記述であるセルの存在が検出された場合として、自セル以外のセルのＰＣＩの情報を含むＲＲＣ  Ｃｏｎｎｅｃｔｉｏｎ  Ｒｅｅｓｔａｂｌｉｓｈｍｅｎｔ  Ｒｅｑｕｅｓｔのメッセージがあり、当該ＰＣＩに対応する当該セルの関係が前記テーブルに未記述である場合を用いる、ことを特徴とする。
【００３９】
（７）本発明は、上記した（１）から上記した（５）のいずれか１つに記載のセル関係設定装置において、前記した、ハンドオーバに関するメッセージに基づいて、セルの関係を記述するテーブルに未記述であるセルの存在が検出された場合として、前記テーブルに未記述であるセルに対してＴｓｔｏｒｅ＿ＵＥ＿ｃｎｔｘｔの時間以内にＵＥ  ＣＯＮＴＥＸＴ  ＲＥＬＥＡＳＥのメッセージが送信されたＣ−ＲＮＴＩについてＲＬＦ  Ｉｎｄｉｃａｔｉｏｎのメッセージがあった場合を用いる、ことを特徴とする。
【００４０】
（８）本発明は、上記した（１）から上記した（５）のいずれか１つに記載のセル関係設定装置において、前記した、ハンドオーバに関するメッセージに基づいて、セルの関係を記述するテーブルに未記述であるセルの存在が検出された場合として、ハンドオーバレポートタイプがＨＯ  ｔｏ  Ｗｒｏｎｇ  Ｃｅｌｌであるハンドオーバレポートのメッセージがあり、当該メッセージのＲｅｅｓｔａｂｌｉｓｈｍｅｎｔ  ＣｅｌｌのＰＣＩに対応するセルの関係が前記テーブルに未記述である場合を用いる、ことを特徴とする。
【００４１】
（９）上記の課題を解決するために、本発明に係るセル関係設定方法は、セル関係設定部が、ハンドオーバに関するメッセージに基づいて、セルの関係を記述するテーブルに未記述であるセルの存在が検出された場合に、当該セルの関係が前記テーブルに記述されるように前記テーブルを設定し、当該セルを形成する基地局について基地局間の直接通信のインターフェースを設定する、ことを特徴とする。
【００４２】
（１０）上記の課題を解決するために、本発明に係るセル関係設定方法は、セル関係設定用ＭＲ閾値設定部が、ハンドオーバに関するメッセージに基づいて、セルの関係を記述するテーブルに未記述であるセルの存在が検出された場合に、セルの関係の設定用のＭＲ（Ｍｅａｓｕｒｅｍｅｎｔ  Ｒｅｐｏｒｔ）を送信するための送信条件における受信電力レベルに対する閾値であるＭＲ閾値を下げるように設定する、ことを特徴とする。
【００４３】
（１１）上記の課題を解決するため、本発明に係るセル関係設定プログラムは、セル関係設定部が、ハンドオーバに関するメッセージに基づいて、セルの関係を記述するテーブルに未記述であるセルの存在が検出された場合に、当該セルの関係が前記テーブルに記述されるように前記テーブルを設定し、当該セルを形成する基地局について基地局間の直接通信のインターフェースを設定するステップを、コンピュータに実行させるためのプログラムである。
【００４４】
（１２）上記の課題を解決するため、本発明に係るセル関係設定プログラムは、セル関係設定用ＭＲ閾値設定部が、ハンドオーバに関するメッセージに基づいて、セルの関係を記述するテーブルに未記述であるセルの存在が検出された場合に、セルの関係の設定用のＭＲ（Ｍｅａｓｕｒｅｍｅｎｔ  Ｒｅｐｏｒｔ）を送信するための送信条件における受信電力レベルに対する閾値であるＭＲ閾値を下げるように設定するステップを、コンピュータに実行させるためのプログラムである。
【発明の効果】
【００４５】
本発明によれば、セルの関係の設定を効果的に行うことができる。
【図面の簡単な説明】
【００４６】
【図１】本発明の一実施形態に係る隣接セル関係自動設定装置の概略的な構成を示すブロック図である。
【図２】本発明の一実施形態に係る隣接セル関係自動設定装置により行われるＲＲＣ  Ｃｏｎｎｅｃｔｉｏｎ  Ｒｅｅｓｔａｂｌｉｓｈｍｅｎｔ  Ｒｅｑｕｅｓｔのメッセージの受信時における処理の手順の一例を示すフローチャート図である。
【図３】本発明の一実施形態に係る隣接セル関係自動設定装置により行われるＲＬＦ  Ｉｎｄｉｃａｔｉｏｎのメッセージの受信時における処理の手順の一例を示すフローチャート図である。
【図４】本発明の一実施形態に係る隣接セル関係自動設定装置により行われるハンドオーバレポートのメッセージの受信時における処理の手順の一例を示すフローチャート図である。
【図５】隣接セルリストの自動設定を説明するための図である。
【図６】ＬＴＥにおけるハンドオーバおよびその実施条件の例を示す図である。
【図７】Ｔｏｏ  Ｌａｔｅ  ＨＯの発生と検知の手順の例を示す図である。
【図８】Ｔｏｏ  Ｅａｒｌｙ  ＨＯの発生と検知の手順の例を示す図である。
【図９】ＨＯ  ｔｏ  Ｗｒｏｎｇ  Ｃｅｌｌの発生と検知の手順の例を示す図である。
【図１０】Ｔｏｏ  Ｌａｔｅ  ＨＯの発生時における課題の例を示す図である。
【図１１】Ｔｏｏ  Ｅａｒｌｙ  ＨＯの発生時における課題の例を示す図である。
【図１２】ＨＯ  ｔｏ  Ｗｒｏｎｇ  Ｃｅｌｌの発生時における課題の例を示す図である。
【発明を実施するための形態】
【００４７】
以下、図面を参照し、本発明の実施形態について説明する。
【００４８】
本実施形態では、移動無線通信システムに本発明を適用した場合を示す。
本実施形態に係る移動無線通信システムは、複数の基地局と、これら複数の基地局を管理する集中サーバと、これら複数の基地局および集中サーバを通信可能に接続するネットワークと、各基地局の通信エリアにおいて当該各基地局と無線により通信する複数の端末（例えば、移動端末など）を有する。このネットワークには、基地局間を直接接続するインターフェースであるＸ２インターフェース（Ｘ２回線）を含む。
【００４９】
また、本実施形態に係る移動無線通信システムは、複数の基地局のそれぞれごとに、隣接セル関係自動設定装置（セル関係設定装置の一例）を有する。
また、本実施形態に係る移動無線通信システムは、複数の基地局を管理する集中サーバにも、隣接セル関係自動設定装置を有する構成とすることもできる。この場合、複数の基地局を管理する集中サーバに備えられた隣接セル関係自動設定装置は、これら複数の基地局の隣接セルリストを管理する。
なお、例えば、基地局ごとに隣接セル関係自動設定装置を設置するとともに、複数の基地局を管理する集中サーバに隣接セル関係自動設定装置を設置する構成、基地局ごと（のみ）に隣接セル関係自動設定装置を設置する構成、または、複数の基地局を管理する集中サーバ（のみ）に隣接セル関係自動設定装置を設置する構成を用いることが可能である。
【００５０】
また、本実施形態では、基地局が形成するセルを単位として、セル間の関係を設定する。また、本実施形態では、基地局が１個のセルを形成する場合にも、あるいは、基地局が複数個のセルを形成する場合にも、セルごとにＰＣＩ（Ｐｈｙｓｉｃａｌ  Ｃｅｌｌ  ＩＤ（Ｉｄｅｎｄｉｆｉｅｒ））の識別情報が設定され、セルごとに隣接セルリストが記憶される。
なお、セル間の関係の設定としては、例えば、異なる基地局のセル（異なるセル）の間で行われてもよいばかりでなく、同一の基地局の異なるセルの間で行われてもよい。
具体例として、ＬＴＥでは、１個の基地局が３個のセルを形成して有する。
【００５１】
以下（本実施形態の説明）では、説明の便宜上、１個の基地局と１個のセルが対応しているとみなして説明する。
つまり、例えば、１個の基地局が１個（のみ）のセルを有する場合、または、１個の基地局が複数個のセルを有するが、隣接するとされる２個以上の別の基地局（それぞれの基地局のセルは１個ずつ特定されるとする）の間のセルの関係を設定する場合を例として説明する。
【００５２】
図１は、本発明の一実施形態に係る隣接セル関係自動設定装置１の概略的な構成を示すブロック図である。
本実施形態では、互いに隣接するとみなされる３個の基地局を、それぞれ、第１の基地局（基地局＃１）、第２の基地局（基地局＃２）、第３の基地局（基地局＃３）として、説明する。
また、本実施形態では、適宜、隣接セル関係自動設定装置１が、基地局＃１、基地局＃２、または基地局＃３、に設置されているとして、説明する。
【００５３】
なお、互いに隣接するとみなされる基地局は、例えば、あらかじめ定められてシステムに設定される。互いに隣接するとみなされる基地局としては、例えば、実際に隣接する基地局ばかりでなく、実際には隣接しないが隣接すると定められた基地局が含まれてもよい。
【００５４】
本実施形態に係る隣接セル関係自動設定装置１は、入力部１１と、出力部１２と、記憶部１３と、ＨＯ失敗に基づくＡＮＲ機能部１４（セル関係設定部の一例）と、ＥＣＧＩ解決機能部１５（ＥＣＧＩ情報取得部の一例）と、ＡＮＲ用ＭＲ閾値設定部１６（セル関係設定用ＭＲ閾値設定部の一例）と、判定部１７と、を備える。
入力部１１は、外部の装置から情報を入力する。
出力部１２は、外部の装置に情報を出力する。
記憶部１３は、例えば、ＨＯ失敗に基づくＡＮＲ機能部１４、ＥＣＧＩ解決機能部１５、ＡＮＲ用ＭＲ閾値設定部１６、判定部１７などにより使用されるあらかじめ定められたプログラムや、各種の処理で使用される閾値など、各種の情報を記憶する。
【００５５】
ＨＯ失敗に基づくＡＮＲ機能部１４は、ハンドオーバ（ＨＯ）の失敗に基づいて、隣接セル関係自動設定（ＡＮＲ）の処理を行う。
ＥＣＧＩ解決機能部１５は、ＥＣＧＩを解決する処理を行う。
ＡＮＲ用ＭＲ閾値設定部１６は、隣接セル関係自動設定（ＡＮＲ）のために、ＭＲに関する閾値（ＭＲ閾値）を設定する処理を行う。
判定部１７は、あらかじめ定められた判定の処理を行う。なお、他の構成例として、判定部１７は、隣接セル関係自動設定装置１に備えられずに、隣接セル関係自動設定装置１の外部の機能（例えば、基地局の機能）として備えられてもよい。
【００５６】
ここで、本実施形態では、ＭＲ閾値として、ＡＮＲ用のＭＲを送信するための送信条件における受信電力レベルに対する閾値を用いる。
この閾値（例えば、初期設定またはその後の変更）は、基地局から移動端末に対して無線送信されて通知され、当該移動端末の記憶部（例えば、メモリ）に記憶される。そして、この移動端末は、この閾値を、ＡＮＲ用のＭＲを送信するための送信条件における受信電力レベルに対する閾値として用いる。
【００５７】
本実施形態に係る隣接セル関係自動設定装置１は、ＲＲＣ  Ｃｏｎｎｅｃｔｉｏｎ  Ｒｅｅｓｔａｂｌｉｓｈｍｅｎｔ  Ｒｅｑｕｅｓｔのメッセージや、ＲＬＦ  Ｉｎｄｉｃａｔｉｏｎのメッセージや、ハンドオーバレポート（Ｈａｎｄｏｖｅｒ  Ｒｅｐｏｒｔ）のメッセージや、隣接セルリスト（ＮＲＴ）の情報を、入力パラメータの情報として、入力部１１により入力する。
【００５８】
ここで、入力部１１により入力する情報は、例えば、本実施形態に係る隣接セル関係自動設定装置１が備えられた基地局から入力する。
本実施形態に係る隣接セル関係自動設定装置１が備えられた基地局は、その記憶部（例えば、メモリ）に、隣接セルリストを記憶する。
【００５９】
また、ＲＲＣ  Ｃｏｎｎｅｃｔｉｏｎ  Ｒｅｅｓｔａｂｌｉｓｈｍｅｎｔ  Ｒｅｑｕｅｓｔのメッセージは、例えば、ハンドオーバの失敗後に基地局に対して再接続を試みた移動端末から無線送信されて当該基地局により受信される。具体例として、ＲＲＣ  Ｃｏｎｎｅｃｔｉｏｎ  Ｒｅｅｓｔａｂｌｉｓｈｍｅｎｔ  Ｒｅｑｕｅｓｔのメッセージは、図１０に示される（２）再接続において移動端末１２０１−２（移動端末１２０１−１）から基地局＃２に対して送信され、また、図１１に示される（４）再接続において移動端末１３０１−２（移動端末１３０１−１）から基地局＃１に対して送信され、また、図１２に示される（４）再接続において移動端末１４０１−２（移動端末１４０１−１）から基地局＃３に対して送信される。
【００６０】
本実施形態に係る隣接セル関係自動設定装置１は、ＡＮＲ用ＭＲ閾値や、隣接セルリスト（ＮＲＴ）の情報を、出力パラメータの情報として、出力部１２により出力する。
それぞれの出力パラメータの情報は、任意の装置に出力されてもよく、例えば、本実施形態に係る隣接セル関係自動設定装置１が備えられた基地局や、他の基地局や、集中サーバなどのうちの１つ以上に、直接または間接に、出力される。
【００６１】
例えば、出力パラメータの情報であるＡＮＲ用ＭＲ閾値は、ハンドオーバの失敗事象の発生に関する基地局に送信され、当該基地局から配下の移動端末に無線送信される。また、出力パラメータの情報である隣接セルリスト（ＮＲＴ）の情報は、ハンドオーバの失敗事象の発生に関する基地局などに送信されて、記憶される。
一例として、ハンドオーバ発生を検知した基地局に対してＡＮＲ用ＭＲ値が出力され、ハンドオーバが発生した基地局と再接続した基地局に対して隣接基地局リスト（ＮＲＴ）が出力される。
【００６２】
ここで、本実施形態では、隣接セル関係自動設定装置１は、ＡＮＲ用ＭＲ閾値や、隣接セルリスト（ＮＲＴ）の情報を出力する構成としたが、他の構成例として、更新後のＡＮＲ用ＭＲ閾値や、更新後の隣接セルリスト（ＮＲＴ）の情報を特定することができる他の情報を出力してもよく、具体例として、現在の設定内容（ＡＮＲ用ＭＲ閾値や、隣接セルリスト（ＮＲＴ））からの変更部分の情報を出力してもよい。
【００６３】
図２〜図４を参照して、本実施形態に係る隣接セル関係自動設定装置１により行われる処理の手順の例を示す。
図２は、本実施形態に係る隣接セル関係自動設定装置１により行われる、ＲＲＣ  Ｃｏｎｎｅｃｔｉｏｎ  Ｒｅｅｓｔａｂｌｉｓｈｍｅｎｔ  Ｒｅｑｕｅｓｔのメッセージの受信時における処理の手順の一例を示すフローチャート図である。
【００６４】
まず、隣接セル関係自動設定装置１が備えられた基地局によりＲＲＣ  Ｃｏｎｎｅｃｔｉｏｎ  Ｒｅｅｓｔａｂｌｉｓｈｍｅｎｔ  Ｒｅｑｕｅｓｔのメッセージが受信され、当該メッセージが隣接セル関係自動設定装置１の入力部１１により入力される（ステップＳ１）。
【００６５】
次に、判定部１７は、入力されたＲＲＣ  Ｃｏｎｎｅｃｔｉｏｎ  Ｒｅｅｓｔａｂｌｉｓｈｍｅｎｔ  Ｒｅｑｕｅｓｔのメッセージについて、当該メッセージに含まれるＰＣＩが、当該メッセージを送信した移動端末により再接続された基地局（ここでは、隣接セル関係自動設定装置１が備えられた基地局）のＰＣＩと異なるか否かを判定する（ステップＳ２）。
具体的には、判定部１７は、自局（ここでは、隣接セル関係自動設定装置１が備えられた基地局）以外のＰＣＩを含むメッセージについては、当該メッセージに含まれるＰＣＩが当該メッセージを送信した移動端末により再接続された基地局のＰＣＩと異なると判定する。
【００６６】
ステップＳ２の処理における判定において、判定部１７が、前記メッセージに含まれるＰＣＩが当該メッセージを送信した移動端末により再接続された基地局のＰＣＩと同じであると判定した場合には、本処理を終了する。
【００６７】
一方、ステップＳ２の処理における判定において、判定部１７が、前記メッセージに含まれるＰＣＩが当該メッセージを送信した移動端末により再接続された基地局のＰＣＩと異なると判定した場合には、判定部１７は、前記メッセージに含まれるＰＣＩの情報に対応する基地局の情報が隣接セルリスト（ここでは、隣接セル関係自動設定装置１が備えられた基地局の隣接セルリスト）に登録されているか否かを判定する（ステップＳ３）。
【００６８】
ステップＳ３の処理における判定において、判定部１７が、前記メッセージに含まれるＰＣＩの情報に対応する基地局の情報が隣接セルリストに登録されていると判定した場合には、本処理を終了する。
【００６９】
一方、ステップＳ３の処理における判定において、判定部１７が、前記メッセージに含まれるＰＣＩの情報に対応する基地局の情報が隣接セルリストに登録されていないと判定した場合には、判定部１７は、このようなメッセージ（ＲＲＣ  Ｃｏｎｎｅｃｔｉｏｎ  Ｒｅｅｓｔａｂｌｉｓｈｍｅｎｔ  Ｒｅｑｕｅｓｔのメッセージ）の受信回数があらかじめ定められた閾値以上となったか否かを判定する（ステップＳ４）。
ここで、本実施形態に係る隣接セル関係自動設定装置１は、このようなメッセージの受信回数を記憶部１３に記憶しておく。
【００７０】
ステップＳ４の処理における判定において、判定部１７が、前記のようなメッセージの受信回数があらかじめ定められた閾値以上となっていないと判定した場合には、本処理を終了する。
一方、ステップＳ４の処理における判定において、判定部１７が、前記のようなメッセージの受信回数があらかじめ定められた閾値以上となったと判定した場合には、ステップＳ５の処理へ移行する。
【００７１】
ここで、他の構成例として、ステップＳ４の処理における判定は、判定部１７の代わりに、ＨＯ失敗に基づくＡＮＲ機能部１４により行われてもよい。この場合、ＨＯ失敗に基づくＡＮＲ機能部１４は、メッセージの受信を記録し、自局以外の基地局のＰＣＩを含むメッセージについて、当該基地局のＰＣＩを含むメッセージの受信回数が閾値以上となったときに、ステップＳ５の処理へ移行する。
【００７２】
ステップＳ５の処理では、ＨＯ失敗に基づくＡＮＲ機能部１４は、該当するＰＣＩ（ここでは、前記受信回数が前記閾値以上となったＲＲＣ  Ｃｏｎｎｅｃｔｉｏｎ  Ｒｅｅｓｔａｂｌｉｓｈｍｅｎｔ  Ｒｅｑｕｅｓｔのメッセージに含まれる自局以外の基地局のＰＣＩ）に対応するＥＣＧＩが、当該ＰＣＩを含むメッセージに含まれているか否かを判定する（ステップＳ５）。
【００７３】
ステップＳ５の処理における判定において、ＨＯ失敗に基づくＡＮＲ機能部１４が、該当するＰＣＩに対応するＥＣＧＩが当該ＰＣＩを含むメッセージに含まれていると判定した場合には、ステップＳ８の処理へ移行する。
一方、ステップＳ５の処理における判定において、ＨＯ失敗に基づくＡＮＲ機能部１４が、該当するＰＣＩに対応するＥＣＧＩが当該ＰＣＩを含むメッセージに含まれていないと判定した場合には、ステップＳ６の処理へ移行する。
【００７４】
ステップＳ６の処理では、ＥＣＧＩ解決機能部１５は、上位装置（例えば、集中サーバ）に問い合わせることで対応するＥＣＧＩを解決することが可能であるか否かを判定する（ステップＳ６）。
ステップＳ６の処理における判定において、ＥＣＧＩ解決機能部１５が、上位装置に問い合わせることで対応するＥＣＧＩを解決することが可能であると判定した場合には、上位装置に問い合わせて取得してＥＣＧＩを解決し（ステップＳ９）、ステップＳ８の処理へ移行する。
一方、ステップＳ６の処理における判定において、ＥＣＧＩ解決機能部１５が、上位装置に問い合わせることで対応するＥＣＧＩを解決することが可能ではないと判定した場合には、ステップＳ７の処理へ移行する。
【００７５】
ステップＳ８の処理では、ＨＯ失敗に基づくＡＮＲ機能部１４は、該当するＰＣＩ（ここでは、前記受信回数が前記閾値以上となったＲＲＣ  Ｃｏｎｎｅｃｔｉｏｎ  Ｒｅｅｓｔａｂｌｉｓｈｍｅｎｔ  Ｒｅｑｕｅｓｔのメッセージに含まれる自局以外の基地局のＰＣＩ）に対応する基地局の情報を隣接セルリストに登録し、Ｘ２インターフェース（Ｘ２回線）を設定（接続確立）し（ステップＳ８）、ステップＳ７の処理へ移行する。
【００７６】
ステップＳ７の処理では、ＡＮＲ用ＭＲ閾値設定部１６は、ＡＮＲ用のＭＲ閾値を設定（例えば、再設定）し（ステップＳ７）、本処理を終了する。
ここで、ステップＳ７の処理において、ＡＮＲ用のＭＲ閾値を設定する方法としては、様々なものが用いられてもよく、例えば、ＡＮＲ用のＭＲ閾値を下げる（小さくする）方法を用いることができ、一例として、ＡＮＲ用のＭＲ閾値を、その初期値から開始して、ステップＳ７の処理を行うごとに、あらかじめ定められた値ずつ下げていく、ような方法を用いることができる。
【００７７】
そして、ステップＳ８の処理において生成された隣接セルリストの情報や、ステップＳ７の処理において設定されたＡＮＲ用ＭＲ閾値の情報が、出力部１２により出力される。
これらの情報は、例えば、隣接セル関係自動設定装置１が備えられた基地局に出力されて提供される。また、これらの情報は、例えば、隣接セル関係自動設定装置１から直接にまたは隣接セル関係自動設定装置１が備えられた基地局を介して、当該基地局の隣接セルリストに登録されていなかった基地局（本実施形態では、ステップＳ３の処理におけるＲＲＣ  Ｃｏｎｎｅｃｔｉｏｎ  Ｒｅｅｓｔａｂｌｉｓｈｍｅｎｔ  Ｒｅｑｕｅｓｔのメッセージに含まれるＰＣＩに対応する基地局）などに出力されて提供されてもよい。
【００７８】
ここで、基地局の情報を隣接セルリストに登録するためには、当該基地局のＥＣＧＩの情報が必要である。このため、ＲＲＣ  Ｃｏｎｎｅｃｔｉｏｎ  Ｒｅｅｓｔａｂｌｉｓｈｍｅｎｔ  ＲｅｑｕｅｓｔのメッセージにＥＣＧＩの情報が含まれていない場合には（ステップＳ５の処理における判定）、ＥＣＧＩ解決機能部１５により上位装置に問い合わせてＥＣＧＩを解決し、取得したＥＣＧＩの情報をもとに、ＨＯ失敗に基づくＡＮＲ機能部１４により、当該基地局の情報を隣接セルリストに登録し、Ｘ２インターフェースを接続確立する。
【００７９】
また、ＡＮＲ用ＭＲ閾値設定部１６は、例えば、未知の基地局からの電波を受信したときには、ＡＮＲ用ＭＲを送信するための送信条件である受信電力レベルに対する閾値（ＡＮＲ用のＭＲ閾値）を小さくするように再設定し（ステップＳ７）、これにより、ＡＮＲによる新規基地局の発見の確率を上げることができる。
一例として、ＡＮＲ用ＭＲ閾値設定部１６は、該当する基地局のＰＣＩを含むＲＲＣ  Ｃｏｎｎｅｃｔｉｏｎ  Ｒｅｅｓｔａｂｌｉｓｈｍｅｎｔ  Ｒｅｑｕｅｓｔのメッセージの受信回数が閾値を超えるたびに、ＡＮＲ用ＭＲ閾値を、あらかじめ定められた１段階下げる。
ただし、ＡＮＲ用ＭＲ閾値を下げ過ぎて不必要に電力が弱い基地局の情報を隣接セルリストに登録してしまうと、Ｘ２インターフェースを介して定期的に情報交換する基地局の数が増えてしまい、基地局の処理能力やバックボーン回線に負荷を与えてしまう。このため、例えば、該当する基地局を発見した後には、ＡＮＲ用ＭＲ閾値設定部１６は、ＡＮＲ用ＭＲ閾値を段階的に上げる（または、初期値に戻す）ような処理を行ってもよい。
【００８０】
第１の具体例として、図２に示されるフローチャートの処理を、図１０に示されるＴｏｏ  Ｌａｔｅ  ＨＯに適用する場合を示す。
この場合、図１０に示される（２）再接続において移動端末１２０１−２（移動端末１２０１−１）から送信されるＲＲＣ  Ｃｏｎｎｅｃｔｉｏｎ  Ｒｅｅｓｔａｂｌｉｓｈｍｅｎｔ  Ｒｅｑｕｅｓｔのメッセージには、通信の接続断が発生する前に接続していた基地局＃１のＰＣＩが含まれる。しかしながら、移動端末１２０１−２（移動端末１２０１−１）が再接続する相手は、基地局＃２となる。このため、基地局＃２の隣接セルリストに基地局＃１の情報が含まれないときには、当該隣接セルリストに基地局＃１の情報を登録し、基地局＃１と基地局＃２とのＸ２インターフェースを設定する。
この第１の具体例では、基地局＃２に備えられた隣接セル関係自動設定装置１により図２に示されるフローチャートの処理が行われる。
【００８１】
第２の具体例として、図２に示されるフローチャートの処理を、図１１に示されるＴｏｏ  Ｅａｒｌｙ  ＨＯに適用する場合を示す。
この場合、図１１に示される（４）再接続において移動端末１３０１−２（移動端末１３０１−１）から送信されるＲＲＣ  Ｃｏｎｎｅｃｔｉｏｎ  Ｒｅｅｓｔａｂｌｉｓｈｍｅｎｔ  Ｒｅｑｕｅｓｔのメッセージには、通信の接続断が発生する前に接続していた基地局＃２のＰＣＩが含まれる。しかしながら、移動端末１３０１−２（移動端末１３０１−１）が再接続する相手は、基地局＃１となる。このため、基地局＃１の隣接セルリストに基地局＃２の情報が含まれないときには、当該隣接セルリストに基地局＃２の情報を登録し、基地局＃１と基地局＃２とのＸ２インターフェースを設定する。
この第２の具体例では、基地局＃１に備えられた隣接セル関係自動設定装置１により図２に示されるフローチャートの処理が行われる。
【００８２】
第３の具体例として、図２に示されるフローチャートの処理を、図１２に示されるＨＯ  ｔｏ  Ｗｒｏｎｇ  Ｃｅｌｌに適用する場合を示す。
この場合、図１２に示される（４）再接続において移動端末１４０１−２（移動端末１４０１−１）から送信されるＲＲＣ  Ｃｏｎｎｅｃｔｉｏｎ  Ｒｅｅｓｔａｂｌｉｓｈｍｅｎｔ  Ｒｅｑｕｅｓｔのメッセージには、通信の接続断が発生する前に接続していた基地局＃２のＰＣＩが含まれる。しかしながら、移動端末１４０１−２（移動端末１４０１−１）が再接続する相手は、基地局＃３となる。このため、基地局＃３の隣接セルリストに基地局＃２の情報が含まれないときには、当該隣接セルリストに基地局＃２の情報を登録し、基地局＃２と基地局＃３とのＸ２インターフェースを設定する。
この第３の具体例では、基地局＃３に備えられた隣接セル関係自動設定装置１により図２に示されるフローチャートの処理が行われる。
【００８３】
図３は、本実施形態に係る隣接セル関係自動設定装置１により行われる、ＲＬＦ  Ｉｎｄｉｃａｔｉｏｎのメッセージの受信時における処理の手順の一例を示すフローチャート図である。
【００８４】
まず、隣接セル関係自動設定装置１が備えられた基地局によりＲＬＦ  Ｉｎｄｉｃａｔｉｏｎのメッセージが受信され、当該メッセージが隣接セル関係自動設定装置１の入力部１１により入力される（ステップＳ２１）。
【００８５】
次に、判定部１７は、入力されたＲＬＦ  Ｉｎｄｉｃａｔｉｏｎのメッセージについて、当該メッセージに該当する移動端末（ここでは、当該メッセージに識別情報が含まれる移動端末であり、ハンドオーバの失敗が発生した移動端末）に関して、あらかじめ定められた時間（Ｔｓｔｏｒｅ＿ＵＥ＿ｃｎｔｘｔ秒）以内にセルＡ（ここでは、ある基地局のセル）に対してＵＥ  ＣＯＮＴＥＸＴ  ＲＥＬＥＡＳＥのメッセージが送信されていたか否かを判定する（ステップＳ２２）。
【００８６】
ここで、ＲＬＦ  ＩｎｄｉｃａｔｉｏｎのメッセージはＸ２インターフェースを介して通信される。
また、ＵＥ  ＣＯＮＴＥＸＴ  ＲＥＬＥＡＳＥのメッセージは、ハンドオーバの完了を確認するために基地局間で通信されるメッセージである。
また、ＵＥ  ＣＯＮＴＥＸＴ  ＲＥＬＥＡＳＥのメッセージは、上位装置（例えば、集中サーバ）を経由して通信され、Ｘ２インターフェースが設定されていなくても通信されることが可能である。
また、移動端末（ＵＥ：Ｕｓｅｒ  Ｅｑｕｉｐｍｅｎｔ）は、例えば、ＵＥ−ＩＤ（Ｃ−ＲＮＴＩ）の識別情報により識別されることが可能である。
【００８７】
ステップＳ２２の処理における判定において、判定部１７が、前記メッセージに該当する移動端末に関してあらかじめ定められた時間（Ｔｓｔｏｒｅ＿ＵＥ＿ｃｎｔｘｔ秒）以内にセルＡに対してＵＥ  ＣＯＮＴＥＸＴ  ＲＥＬＥＡＳＥのメッセージが送信されていなかったと判定した場合には、本処理を終了する。
【００８８】
一方、ステップＳ２２の処理における判定において、判定部１７が、前記メッセージに該当する移動端末に関してあらかじめ定められた時間（Ｔｓｔｏｒｅ＿ＵＥ＿ｃｎｔｘｔ秒）以内にセルＡに対してＵＥ  ＣＯＮＴＥＸＴ  ＲＥＬＥＡＳＥのメッセージが送信されていたと判定した場合には、判定部１７は、前記セルＡのＰＣＩの情報に対応する基地局の情報が隣接セルリスト（ここでは、隣接セル関係自動設定装置１が備えられた基地局の隣接セルリスト）に登録されているか否かを判定する（ステップＳ２３）。
【００８９】
ステップＳ２３の処理における判定において、判定部１７が、前記セルＡのＰＣＩの情報に対応する基地局の情報が隣接セルリストに登録されていると判定した場合には、本処理を終了する。
【００９０】
一方、ステップＳ２３の処理における判定において、判定部１７が、前記セルＡのＰＣＩの情報に対応する基地局の情報が隣接セルリストに登録されていないと判定した場合には、判定部１７は、このようなメッセージ（ＲＬＦ  Ｉｎｄｉｃａｔｉｏｎのメッセージ）の受信回数があらかじめ定められた閾値以上となったか否かを判定する（ステップＳ２４）。
ここで、本実施形態に係る隣接セル関係自動設定装置１は、このようなメッセージの受信回数を記憶部１３に記憶しておく。
【００９１】
ステップＳ２４の処理における判定において、判定部１７が、前記のようなメッセージの受信回数があらかじめ定められた閾値以上となっていないと判定した場合には、本処理を終了する。
一方、ステップＳ２４の処理における判定において、判定部１７が、前記のようなメッセージの受信回数があらかじめ定められた閾値以上となったと判定した場合には、ステップＳ２５の処理へ移行する。
【００９２】
ここで、他の構成例として、ステップＳ２４の処理における判定は、判定部１７の代わりに、ＨＯ失敗に基づくＡＮＲ機能部１４により行われてもよい。この場合、ＨＯ失敗に基づくＡＮＲ機能部１４は、メッセージの受信を記録し、上記のようなメッセージの受信回数が閾値以上となったときに、ステップＳ２５の処理へ移行する。
【００９３】
ステップＳ２５の処理では、ＨＯ失敗に基づくＡＮＲ機能部１４は、該当するＰＣＩ（ここでは、前記セルＡのＰＣＩ）に対応するＥＣＧＩが、上記のようなメッセージに含まれているか否かを判定する（ステップＳ２５）。
【００９４】
ステップＳ２５の処理における判定において、ＨＯ失敗に基づくＡＮＲ機能部１４が、該当するＰＣＩに対応するＥＣＧＩが上記のようなメッセージに含まれていると判定した場合には、ステップＳ２８の処理へ移行する。
一方、ステップＳ２５の処理における判定において、ＨＯ失敗に基づくＡＮＲ機能部１４が、該当するＰＣＩに対応するＥＣＧＩが上記のようなメッセージに含まれていないと判定した場合には、ステップＳ２６の処理へ移行する。
【００９５】
ステップＳ２６の処理では、ＥＣＧＩ解決機能部１５は、上位装置（例えば、集中サーバ）に問い合わせることで対応するＥＣＧＩを解決することが可能であるか否かを判定する（ステップＳ２６）。
ステップＳ２６の処理における判定において、ＥＣＧＩ解決機能部１５が、上位装置に問い合わせることで対応するＥＣＧＩを解決することが可能であると判定した場合には、上位装置に問い合わせてＥＣＧＩを取得して解決し（ステップＳ２９）、ステップＳ２８の処理へ移行する。
一方、ステップＳ２６の処理における判定において、ＥＣＧＩ解決機能部１５が、上位装置に問い合わせることで対応するＥＣＧＩを解決することが可能ではないと判定した場合には、ステップＳ２７の処理へ移行する。
【００９６】
ステップＳ２８の処理では、ＨＯ失敗に基づくＡＮＲ機能部１４は、該当するＰＣＩ（ここでは、前記受信回数が前記閾値以上となった前記セルＡのＰＣＩ）に対応する基地局の情報を隣接セルリストに登録し、Ｘ２インターフェース（Ｘ２回線）を設定（接続確立）し（ステップＳ２８）、ステップＳ２７の処理へ移行する。
【００９７】
ステップＳ２７の処理では、ＡＮＲ用ＭＲ閾値設定部１６は、ＡＮＲ用のＭＲ閾値を設定（例えば、再設定）し（ステップＳ２７）、本処理を終了する。
ここで、ステップＳ２７の処理において、ＡＮＲ用のＭＲ閾値を設定する方法としては、様々なものが用いられてもよく、例えば、ＡＮＲ用のＭＲ閾値を下げる（小さくする）方法を用いることができ、一例として、ＡＮＲ用のＭＲ閾値を、その初期値から開始して、ステップＳ２７の処理を行うごとに、あらかじめ定められた値ずつ下げていく、ような方法を用いることができる。
【００９８】
そして、ステップＳ２８の処理において生成された隣接セルリストの情報や、ステップＳ２７の処理において設定されたＡＮＲ用ＭＲ閾値の情報が、出力部１２により出力される。
これらの情報は、例えば、隣接セル関係自動設定装置１が備えられた基地局に出力されて提供される。また、これらの情報は、例えば、隣接セル関係自動設定装置１から直接にまたは隣接セル関係自動設定装置１が備えられた基地局を介して、当該基地局の隣接セルリストに登録されていなかった基地局（本実施形態では、ステップＳ２３の処理におけるセルＡのＰＣＩに対応する基地局）などに出力されて提供されてもよい。
【００９９】
ここで、基地局の情報を隣接セルリストに登録するためには、当該基地局のＥＣＧＩの情報が必要である。このため、ＲＬＦ  ＩｎｄｉｃａｔｉｏｎのメッセージのＣ−ＲＮＴＩについて保持するＵＥ  ＣＯＮＴＥＸＴ情報に含まれる基地局についてＥＣＧＩの情報が不明である場合には、ＥＣＧＩ解決機能部１５により上位装置に問い合わせてＥＣＧＩを解決し、取得したＥＣＧＩの情報をもとに、ＨＯ失敗に基づくＡＮＲ機能部１４により、当該基地局の情報を隣接セルリストに登録し、Ｘ２インターフェースを接続確立する。
なお、ＵＥ  ＣＯＮＴＥＸＴ情報は、各基地局により記憶され、Ｔｓｔｏｒｅ＿ＵＥ＿ｃｏｎｔｅｘｔ秒が過ぎると消去される。
【０１００】
また、ＡＮＲ用ＭＲ閾値設定部１６は、例えば、未知の基地局からの電波を受信したときには、ＡＮＲ用ＭＲを送信するための送信条件である受信電力レベルに対する閾値（ＡＮＲ用のＭＲ閾値）を小さくするように再設定し（ステップＳ２７）、これにより、ＡＮＲによる新規基地局の発見の確率を上げることができる。
一例として、ＡＮＲ用ＭＲ閾値設定部１６は、隣接セルリストに登録されていない基地局に対してＴｓｔｏｒｅ＿ＵＥ＿ｃｏｎｔｅｘｔ秒以内にＵＥ  ＣＯＮＴＥＸＴ  ＲＥＬＥＡＳＥのメッセージを送信したものに該当するＵＥ−ＩＤ（Ｃ−ＲＮＴＩ）についてのＲＬＦ  Ｉｎｄｉｃａｔｉｏｎのメッセージの受信回数が閾値を超えるたびに、ＡＮＲ用ＭＲ閾値を、あらかじめ定められた１段階下げる。
ただし、ＡＮＲ用ＭＲ閾値を下げ過ぎて不必要に電力が弱い基地局の情報を隣接セルリストに登録してしまうと、Ｘ２インターフェースを介して定期的に情報交換する基地局の数が増えてしまい、基地局の処理能力やバックボーン回線に負荷を与えてしまう。このため、例えば、該当する基地局を発見した後には、ＡＮＲ用ＭＲ閾値設定部１６は、ＡＮＲ用ＭＲ閾値を段階的に上げる（または、初期値に戻す）ような処理を行ってもよい。
【０１０１】
第１の具体例として、図３に示されるフローチャートの処理を、図１１に示されるＴｏｏ  Ｅａｒｌｙ  ＨＯに適用する場合を示す。
この場合、図１１に示される基地局＃１のセルがセルＡとなる。そして、図１１に示される（５）ＲＬＦ  Ｉｎｄｉｃａｔｉｏｎのメッセージに該当する移動端末１３０１−２（移動端末１３０１−１）に関してあらかじめ定められた時間（Ｔｓｔｏｒｅ＿ＵＥ＿ｃｎｔｘｔ秒）以内に基地局＃１のセルＡに対して基地局＃２のセルＢからＵＥ  ＣＯＮＴＥＸＴ  ＲＥＬＥＡＳＥのメッセージが送信されていたとする。このとき、基地局＃２の隣接セルリストに基地局＃１の情報が含まれないときには、当該隣接セルリストに基地局＃１の情報を登録し、基地局＃１と基地局＃２とのＸ２インターフェースを設定する。
この第１の具体例では、基地局＃２に備えられた隣接セル関係自動設定装置１により図３に示されるフローチャートの処理が行われる。
【０１０２】
第２の具体例として、図３に示されるフローチャートの処理を、図１２に示されるＨＯ  ｔｏ  Ｗｒｏｎｇ  Ｃｅｌｌに適用する場合を示す。
この場合、図１２に示される基地局＃１のセルがセルＡとなる。そして、図１２に示される（５）ＲＬＦ  Ｉｎｄｉｃａｔｉｏｎのメッセージに該当する移動端末１４０１−２（移動端末１４０１−１）に関してあらかじめ定められた時間（Ｔｓｔｏｒｅ＿ＵＥ＿ｃｎｔｘｔ秒）以内に基地局＃１のセルＡに対して基地局＃２のセルＢからＵＥ  ＣＯＮＴＥＸＴ  ＲＥＬＥＡＳＥのメッセージが送信されていたとする。このとき、基地局＃２の隣接セルリストに基地局＃１の情報が含まれないときには、当該隣接セルリストに基地局＃１の情報を登録し、基地局＃１と基地局＃２とのＸ２インターフェースを設定する。
この第２の具体例では、基地局＃２に備えられた隣接セル関係自動設定装置１により図３に示されるフローチャートの処理が行われる。
【０１０３】
図４は、本実施形態に係る隣接セル関係自動設定装置１により行われる、ハンドオーバレポートのメッセージの受信時における処理の手順の一例を示すフローチャート図である。
【０１０４】
まず、隣接セル関係自動設定装置１が備えられた基地局によりハンドオーバレポートのメッセージが受信され、当該メッセージが隣接セル関係自動設定装置１の入力部１１により入力される（ステップＳ４１）。
【０１０５】
次に、判定部１７は、入力されたハンドオーバレポートのメッセージについて、当該メッセージに含まれるハンドオーバレポートタイプ（Ｈａｎｄｏｖｅｒ  Ｒｅｐｏｒｔ  Ｔｙｐｅ）がＨＯ  ｔｏ  ｗｒｏｎｇ  ｃｅｌｌであるか否かを判定する（ステップＳ４２）。
【０１０６】
ステップＳ４２の処理における判定において、判定部１７が、前記メッセージに含まれるハンドオーバレポートタイプ（Ｈａｎｄｏｖｅｒ  Ｒｅｐｏｒｔ  Ｔｙｐｅ）がＨＯ  ｔｏ  ｗｒｏｎｇ  ｃｅｌｌではないと判定した場合には、本処理を終了する。
【０１０７】
一方、ステップＳ４２の処理における判定において、判定部１７が、前記メッセージに含まれるハンドオーバレポートタイプ（Ｈａｎｄｏｖｅｒ  Ｒｅｐｏｒｔ  Ｔｙｐｅ）がＨＯ  ｔｏ  ｗｒｏｎｇ  ｃｅｌｌであると判定した場合には、判定部１７は、前記メッセージに含まれるＲｅｅｓｔａｂｌｉｓｈｍｅｎｔ  ＣｅｌｌのＰＣＩの情報に対応する基地局の情報が隣接セルリスト（ここでは、隣接セル関係自動設定装置１が備えられた基地局の隣接セルリスト）に登録されているか否かを判定する（ステップＳ４３）。
【０１０８】
ステップＳ４３の処理における判定において、判定部１７が、前記メッセージに含まれるＲｅｅｓｔａｂｌｉｓｈｍｅｎｔ  ＣｅｌｌのＰＣＩの情報に対応する基地局の情報が隣接セルリストに登録されていると判定した場合には、本処理を終了する。
【０１０９】
一方、ステップＳ４３の処理における判定において、判定部１７が、前記メッセージに含まれるＲｅｅｓｔａｂｌｉｓｈｍｅｎｔ  ＣｅｌｌのＰＣＩの情報に対応する基地局の情報が隣接セルリストに登録されていないと判定した場合には、判定部１７は、このようなメッセージ（ハンドオーバレポートのメッセージ）の受信回数があらかじめ定められた閾値以上となったか否かを判定する（ステップＳ４４）。
ここで、本実施形態に係る隣接セル関係自動設定装置１は、このようなメッセージの受信回数を記憶部１３に記憶しておく。
【０１１０】
ステップＳ４４の処理における判定において、判定部１７が、前記のようなメッセージの受信回数があらかじめ定められた閾値以上となっていないと判定した場合には、本処理を終了する。
一方、ステップＳ４４の処理における判定において、判定部１７が、前記のようなメッセージの受信回数があらかじめ定められた閾値以上となったと判定した場合には、ステップＳ４５の処理へ移行する。
【０１１１】
ここで、他の構成例として、ステップＳ４４の処理における判定は、判定部１７の代わりに、ＨＯ失敗に基づくＡＮＲ機能部１４により行われてもよい。この場合、ＨＯ失敗に基づくＡＮＲ機能部１４は、メッセージの受信を記録し、Ｒｅｅｓｔａｂｌｉｓｈｍｅｎｔ  ＣｅｌｌのＰＣＩの情報に対応する基地局の情報が隣接セルリストに登録されていないハンドオーバレポートのメッセージについて、当該基地局のＰＣＩの情報をＲｅｅｓｔａｂｌｉｓｈｍｅｎｔ  ＣｅｌｌのＰＣＩの情報として含むハンドオーバレポートのメッセージの受信回数が閾値以上となったときに、ステップＳ４５の処理へ移行する。
【０１１２】
ステップＳ４５の処理では、ＨＯ失敗に基づくＡＮＲ機能部１４は、該当するＰＣＩ（ここでは、前記受信回数が前記閾値以上となったハンドオーバレポートのメッセージに含まれるＲｅｅｓｔａｂｌｉｓｈｍｅｎｔ  ＣｅｌｌのＰＣＩ）に対応するＥＣＧＩが、当該ＰＣＩを含むメッセージに含まれているか否かを判定する（ステップＳ４５）。
【０１１３】
ステップＳ４５の処理における判定において、ＨＯ失敗に基づくＡＮＲ機能部１４が、該当するＰＣＩに対応するＥＣＧＩが当該ＰＣＩを含むメッセージに含まれていると判定した場合には、ステップＳ４８の処理へ移行する。
一方、ステップＳ４５の処理における判定において、ＨＯ失敗に基づくＡＮＲ機能部１４が、該当するＰＣＩに対応するＥＣＧＩが当該ＰＣＩを含むメッセージに含まれていないと判定した場合には、ステップＳ４６の処理へ移行する。
【０１１４】
ステップＳ４６の処理では、ＥＣＧＩ解決機能部１５は、上位装置（例えば、集中サーバ）に問い合わせることで対応するＥＣＧＩを解決することが可能であるか否かを判定する（ステップＳ４６）。
ステップＳ４６の処理における判定において、ＥＣＧＩ解決機能部１５が、上位装置に問い合わせることで対応するＥＣＧＩを解決することが可能であると判定した場合には、上位装置に問い合わせて取得してＥＣＧＩを解決し（ステップＳ４９）、ステップＳ４８の処理へ移行する。
一方、ステップＳ４６の処理における判定において、ＥＣＧＩ解決機能部１５が、上位装置に問い合わせることで対応するＥＣＧＩを解決することが可能ではないと判定した場合には、ステップＳ４７の処理へ移行する。
【０１１５】
ステップＳ４８の処理では、ＨＯ失敗に基づくＡＮＲ機能部１４は、該当するＰＣＩ（ここでは、前記受信回数が前記閾値以上となったハンドオーバレポートのメッセージに含まれるＲｅｅｓｔａｂｌｉｓｈｍｅｎｔ  ＣｅｌｌのＰＣＩ）に対応する基地局の情報を隣接セルリストに登録し、Ｘ２インターフェース（Ｘ２回線）を設定（接続確立）し（ステップＳ４８）、ステップＳ４７の処理へ移行する。
【０１１６】
ステップＳ４７の処理では、ＡＮＲ用ＭＲ閾値設定部１６は、ＡＮＲ用のＭＲ閾値を設定（例えば、再設定）し（ステップＳ４７）、本処理を終了する。
ここで、ステップＳ４７の処理において、ＡＮＲ用のＭＲ閾値を設定する方法としては、様々なものが用いられてもよく、例えば、ＡＮＲ用のＭＲ閾値を下げる（小さくする）方法を用いることができ、一例として、ＡＮＲ用のＭＲ閾値を、その初期値から開始して、ステップＳ４７の処理を行うごとに、あらかじめ定められた値ずつ下げていく、ような方法を用いることができる。
【０１１７】
そして、ステップＳ４８の処理において生成された隣接セルリストの情報や、ステップＳ４７の処理において設定されたＡＮＲ用ＭＲ閾値の情報が、出力部１２により出力される。
これらの情報は、例えば、隣接セル関係自動設定装置１が備えられた基地局に出力されて提供される。また、これらの情報は、例えば、隣接セル関係自動設定装置１から直接にまたは隣接セル関係自動設定装置１が備えられた基地局を介して、当該基地局の隣接セルリストに登録されていなかった基地局（本実施形態では、ステップＳ４３の処理におけるＲｅｅｓｔａｂｌｉｓｈｍｅｎｔ  ＣｅｌｌのＰＣＩに対応する基地局）などに出力されて提供されてもよい。
【０１１８】
ここで、基地局の情報を隣接セルリストに登録するためには、当該基地局のＥＣＧＩの情報が必要である。このため、ハンドオーバレポートのメッセージにＥＣＧＩの情報が含まれていない場合には（ステップＳ４５の処理における判定）、ＥＣＧＩ解決機能部１５により上位装置に問い合わせてＥＣＧＩを解決し、取得したＥＣＧＩの情報をもとに、ＨＯ失敗に基づくＡＮＲ機能部１４により、当該基地局の情報を隣接セルリストに登録し、Ｘ２インターフェースを接続確立する。
【０１１９】
また、ＡＮＲ用ＭＲ閾値設定部１６は、例えば、未知の基地局からの電波を受信したときには、ＡＮＲ用ＭＲを送信するための送信条件である受信電力レベルに対する閾値（ＡＮＲ用のＭＲ閾値）を小さくするように再設定し（ステップＳ４７）、これにより、ＡＮＲによる新規基地局の発見の確率を上げることができる。
一例として、ＡＮＲ用ＭＲ閾値設定部１６は、該当する基地局のＰＣＩをＲｅｅｓｔａｂｌｉｓｈｍｅｎｔ  Ｃｅｌｌとして含むハンドオーバレポートのメッセージの受信回数が閾値を超えるたびに、ＡＮＲ用ＭＲ閾値を、あらかじめ定められた１段階下げる。
ただし、ＡＮＲ用ＭＲ閾値を下げ過ぎて不必要に電力が弱い基地局の情報を隣接セルリストに登録してしまうと、Ｘ２インターフェースを介して定期的に情報交換する基地局の数が増えてしまい、基地局の処理能力やバックボーン回線に負荷を与えてしまう。このため、例えば、該当する基地局を発見した後には、ＡＮＲ用ＭＲ閾値設定部１６は、ＡＮＲ用ＭＲ閾値を段階的に上げる（または、初期値に戻す）ような処理を行ってもよい。
【０１２０】
具体例として、図４に示されるフローチャートの処理を、図１２に示されるＨＯ  ｔｏ  Ｗｒｏｎｇ  Ｃｅｌｌに適用する場合を示す。
この場合、図１２に示される（６）ハンドオーバレポートのメッセージにはＲｅｅｓｔａｂｌｉｓｈｍｅｎｔ  Ｃｅｌｌとして基地局＃３のＰＣＩが含まれる。このとき、基地局＃１の隣接セルリストに基地局＃３の情報が含まれないときには、当該隣接セルリストに基地局＃３の情報を登録し、基地局＃１と基地局＃３とのＸ２インターフェースを設定する。
この具体例では、基地局＃１に備えられた隣接セル関係自動設定装置１により図４に示されるフローチャートの処理が行われる。
【０１２１】
［本実施形態のまとめ］
以上のように、本実施形態に係る移動無線通信システムにおける隣接セル関係自動設定装置１によれば、セルの関係の設定を効果的に行うことができる。
例えば、記憶情報（本実施形態では、隣接セルリスト）では隣接セル関係にないセル間で発生したハンドオーバ失敗の検知情報を利用して、基地局の隣接セル関係（本実施形態では、隣接セルリストの情報）を自動更新することおよびＸ２インターフェースの接続確立を自動設定することができる。このように、記憶情報（本実施形態では、隣接セルリスト）では隣接セル関係にないセル（本実施形態では、基地局でも同様）に関するハンドオーバ失敗事象を検知した場合に、関連するセル（本実施形態では、基地局でも同様）との隣接セル関係およびＸ２インターフェースの接続確立を自動設定することができる。これにより、隣接セル関係の自動設定の精度を高めることができ、ハンドオーバ失敗の抑制を実現することができる。また、例えば、移動端末から通知される新規セルの検知情報をもとに、基地局の隣接セル関係およびＸ２インターフェースの接続確立を自動更新することもできる。
【０１２２】
また、本実施形態に係る移動無線通信システムにおける隣接セル関係自動設定装置１によれば、例えば、ＡＮＲ用のＭＲ閾値を設定（例えば、再設定）することができる。これにより、隣接セル関係自動設定（ＡＮＲ）を効果的に行うことができる。
【０１２３】
ここで、図２〜図４に示されるフローチャートの処理では、ＨＯ失敗に基づくＡＮＲ機能部１４により隣接セルリストへの登録およびＸ２インターフェースの設定の処理を行うとともに、ＡＮＲ用ＭＲ閾値設定部１６によりＡＮＲ用ＭＲ閾値の設定の処理を行う構成を示したが、これら２つの処理は、必ずしも両方が行われなくてもよく、例えば、任意の一方のみを行う構成が用いられてもよい。
【０１２４】
［以上の実施形態に係る構成例］
以上の実施形態に係る構成例を示す。
（構成例１：全体的な概要）
隣接セル（本実施形態では、隣接基地局でも同様）のＰＣＩやＥＣＧＩなどを登録した隣接セルリスト（本実施形態では、隣接基地局リストでも同様）を自動設定する隣接セル関係自動設定装置１において、隣接セルリストにおいて隣接セル関係にないセル（本実施形態では、基地局でも同様）に関するハンドオーバ失敗事象を検知して記録し、例えばその回数が閾値以上となった場合またはあらかじめ定められた任意のタイミングになった場合に、関連するセル（本実施形態では、基地局でも同様）との隣接セル関係およびＸ２インターフェースの接続確立を（自動的に）設定することと、ＡＮＲ用ＭＲ閾値を設定（例えば、再設定）することと、のうちの一方または両方を行う。
【０１２５】
（構成例２：図２の例に対応）
（構成例１）に係る隣接セル関係自動設定装置１において、自セル（例えば、当該隣接セル関係自動設定装置１が備えられたセルであり、本実施形態では、自局でも同様）以外のＰＣＩの情報を含むＲＲＣ  Ｃｏｎｎｅｃｔｉｏｎ  Ｒｅｅｓｔａｂｌｉｓｈｍｅｎｔ  Ｒｅｑｕｅｓｔのメッセージを受信し、そのＰＣＩの情報に対応するセル（本実施形態では、基地局でも同様）が隣接セルリストに登録されていない場合に、当該メッセージの受信を記録し、例えばその受信回数が閾値以上となった場合またはあらかじめ定められた任意のタイミングになった場合に、ＨＯ失敗に基づくＡＮＲ機能部１４により、当該セル（本実施形態では、当該基地局でも同様）の情報を隣接セルリストに登録し、Ｘ２インターフェースを接続確立する。
【０１２６】
（構成例３：図２の例に対応）
（構成例２）に係る隣接セル関係自動設定装置１において、ＲＲＣ  Ｃｏｎｎｅｃｔｉｏｎ  Ｒｅｅｓｔａｂｌｉｓｈｍｅｎｔ  ＲｅｑｕｅｓｔのメッセージにＥＣＧＩの情報が含まれない場合に、ＥＣＧＩ解決機能部１５により、ＲＲＣ  Ｃｏｎｎｅｃｔｉｏｎ  Ｒｅｅｓｔａｂｌｉｓｈｍｅｎｔ  Ｒｅｑｕｅｓｔのメッセージに含まれたＰＣＩの情報に対応するセル（本実施形態では、基地局でも同様）について、ＥＣＧＩの情報を上位装置（例えば、集中サーバ）に問い合わせて解決する。
【０１２７】
（構成例４：図２の例に対応）
（構成例１）から（構成例３）のいずれか１つに係る隣接セル関係自動設定装置１において、自セル（例えば、当該隣接セル関係自動設定装置１が備えられたセルであり、本実施形態では、自局でも同様）以外のＰＣＩの情報を含むＲＲＣ  Ｃｏｎｎｅｃｔｉｏｎ  Ｒｅｅｓｔａｂｌｉｓｈｍｅｎｔ  Ｒｅｑｕｅｓｔのメッセージを受信し、そのＰＣＩの情報に対応するセル（本実施形態では、基地局でも同様）が隣接セルリストに登録されていない場合に、当該メッセージの受信を記録し、例えばその受信回数が閾値以上となった場合またはあらかじめ定められた任意のタイミングになった場合に、ＡＮＲ用ＭＲ閾値設定部１６により、ＡＮＲ用のＭＲを送信するための送信条件における受信電力レベルに対する閾値（ＭＲ閾値）を下げる。
【０１２８】
（構成例５：図３の例に対応）
（構成例１）に係る隣接セル関係自動設定装置１において、隣接セルリストに登録されていないセル（本実施形態では、基地局でも同様）に対してＴｓｔｏｒｅ＿ＵＥ＿ｃｎｔｘｔ秒以内にＵＥ  ＣＯＮＴＥＸＴ  ＲＥＬＥＡＳＥのメッセージを送信したＣ−ＲＮＴＩ（ＵＥ−ＩＤ）についてＲＬＦ  Ｉｎｄｉｃａｔｉｏｎのメッセージを受信した場合に、当該メッセージの受信を記録し、例えばその受信回数が閾値以上となった場合またはあらかじめ定められた任意のタイミングになった場合に、ＨＯ失敗に基づくＡＮＲ機能部１４により、当該セル（本実施形態では、当該基地局でも同様）の情報を隣接セルリストに登録し、Ｘ２インターフェースを接続確立する。
【０１２９】
（構成例６：図３の例に対応）
（構成例５）に係る隣接セル関係自動設定装置１において、ＲＬＦ  ＩｎｄｉｃａｔｉｏｎのメッセージのＣ−ＲＮＴＩについて保持するＵＥ  ＣＯＮＴＥＸＴ情報に含まれるセル（本実施形態では、基地局でも同様）についてＥＣＧＩの情報が不明である場合には、ＥＣＧＩ解決機能部１５により、セル（本実施形態では、基地局でも同様）について、ＥＣＧＩの情報を上位装置（例えば、集中サーバ）に問い合わせて解決する。
【０１３０】
（構成例７：図３の例に対応）
（構成例１）、（構成例５）または（構成例６）のうちのいずれか１つに係る隣接セル関係自動設定装置１において、隣接セルリストに登録されていないセル（本実施形態では、基地局でも同様）に対してＴｓｔｏｒｅ＿ＵＥ＿ｃｎｔｘｔ秒以内にＵＥ  ＣＯＮＴＥＸＴ  ＲＥＬＥＡＳＥのメッセージを送信したＣ−ＲＮＴＩ（ＵＥ−ＩＤ）についてＲＬＦ  Ｉｎｄｉｃａｔｉｏｎのメッセージを受信した場合に、当該メッセージの受信を記録し、例えばその受信回数が閾値以上となった場合またはあらかじめ定められた任意のタイミングになった場合に、ＡＮＲ用ＭＲ閾値設定部１６により、ＡＮＲ用のＭＲを送信するための送信条件における受信電力レベルに対する閾値（ＭＲ閾値）を下げる。
【０１３１】
（構成例８：図４の例に対応）
（構成例１）に係る隣接セル関係自動設定装置１において、ハンドオーバレポートタイプがＨＯ  ｔｏ  Ｗｒｏｎｇ  Ｃｅｌｌであるハンドオーバレポートのメッセージを受信し、当該メッセージに含まれるＲｅｅｓｔａｂｌｉｓｈｍｅｎｔ  ＣｅｌｌのＰＣＩの情報に対応するセル（本実施形態では、基地局でも同様）が隣接セルリストに登録されていない場合に、当該メッセージの受信を記録し、例えばその受信回数が閾値以上となった場合またはあらかじめ定められた任意のタイミングになった場合に、ＨＯ失敗に基づくＡＮＲ機能部１４により、当該セル（本実施形態では、当該基地局でも同様）の情報を隣接セルリストに登録し、Ｘ２インターフェースを接続確立する。
【０１３２】
（構成例９：図４の例に対応）
（構成例８）に係る隣接セル関係自動設定装置１において、ハンドオーバレポートのメッセージにＥＣＧＩの情報が含まれない場合に、当該ハンドオーバレポートのメッセージに含まれるＲｅｅｓｔａｂｌｉｓｈｍｅｎｔ  ＣｅｌｌのＰＣＩの情報に対応するセル（本実施形態では、基地局でも同様）について、ＥＣＧＩ解決機能部１５により、ＥＣＧＩの情報を上位装置（例えば、集中サーバ）に問い合わせて解決する。
【０１３３】
（構成例１０：図４の例に対応）
（構成例１）、（構成例８）または（構成例９）のうちのいずれか１つに係る隣接セル関係自動設定装置１において、ハンドオーバレポートタイプがＨＯ  ｔｏ  Ｗｒｏｎｇ  Ｃｅｌｌであるハンドオーバレポートのメッセージを受信し、当該メッセージに含まれるＲｅｅｓｔａｂｌｉｓｈｍｅｎｔ  ＣｅｌｌのＰＣＩの情報に対応するセル（本実施形態では、基地局でも同様）が隣接セルリストに登録されていない場合に、当該メッセージの受信を記録し、例えばその受信回数が閾値以上となった場合またはあらかじめ定められた任意のタイミングになった場合に、ＡＮＲ用ＭＲ閾値設定部１６により、ＡＮＲ用のＭＲを送信するための送信条件における受信電力レベルに対する閾値（ＭＲ閾値）を下げる。
【０１３４】
（構成例１１：図２、図３、図４に対応）
（構成例４）、（構成例７）または（構成例１０）のうちのいずれか１つに係る隣接セル関係自動設定装置１において、ＡＮＲ用のＭＲを送信するための送信条件である受信電力レベルに対する閾値を下げた（例えば、他のセル（本実施形態では、他の基地局でも同様）を登録する感度を相対的に下げた）結果、該当するＰＣＩの情報に対応するセル（本実施形態では、基地局でも同様）が隣接セルリストに登録された場合に、ＡＮＲ用ＭＲ閾値設定部１６により、ＡＮＲ用のＭＲを送信するための送信条件である受信電力レベルに対する閾値を上げる（つまり、下げていた閾値を逆に上げる）。
【０１３５】
［以上の実施形態に係る別の構成例］
以上の実施形態に係る別の構成例を示す。この別の構成例においても、上記した構成例と同様に、以上の実施形態に係る技術を表現しており、違う捉え方をしたものである。
（別の構成例１：テーブルの設定）
ハンドオーバに関するメッセージに基づいて、セルの関係を記述するテーブル（以上の実施形態では、隣接セルリスト）に未記述である（記述されていない）セルの存在が検出された場合に、当該セルの関係が前記テーブルに記述されるように前記テーブルを設定し、当該セルを形成する基地局について基地局間の直接通信のインターフェース（以上の実施形態では、Ｘ２インターフェース）を設定するセル関係設定部（以上の実施形態では、ＨＯ失敗に基づくＡＮＲ機能部１４）を備える、ことを特徴とするセル関係設定装置（以上の実施形態では、隣接セル関係自動設定装置１）、である。
【０１３６】
（別の構成例２）
前記セル関係設定部は、あらかじめ定められたメッセージの回数があらかじめ定められた閾値以上となった場合に、前記テーブルの設定および前記インターフェースの設定を行う、ことを特徴とする（別の構成例１）に記載のセル関係設定装置、である。
ここで、前記閾値としては、様々な値が用いられてもよい。
【０１３７】
（別の構成例３：ＭＲ閾値の設定）
ハンドオーバに関するメッセージに基づいて、セルの関係を記述するテーブル（以上の実施形態では、隣接セルリスト）に未記述である（記述されていない）セルの存在が検出された場合に、セルの関係の設定用のＭＲ（Ｍｅａｓｕｒｅｍｅｎｔ  Ｒｅｐｏｒｔ）を送信するための送信条件における受信電力レベルに対する閾値であるＭＲ閾値を下げるように設定するセル関係設定用ＭＲ閾値設定部（以上の実施形態では、ＡＮＲ用ＭＲ閾値設定部）を備える、ことを特徴とするセル関係設定装置（以上の実施形態では、隣接セル関係自動設定装置１）、である。
【０１３８】
（別の構成例４）
前記セル関係設定用ＭＲ閾値設定部は、あらかじめ定められたメッセージの回数があらかじめ定められた閾値以上となった場合に、前記ＭＲ閾値の設定を行う、ことを特徴とする（別の構成例３）に記載のセル関係設定装置、である。
ここで、前記閾値としては、様々な値が用いられてもよい。
【０１３９】
（別の構成例５）
前記セル関係設定用ＭＲ閾値設定部は、前記セルの関係が前記テーブルに記述された場合に、前記ＭＲ閾値を上げるように設定する、ことを特徴とする（別の構成例３）または（別の構成例４）に記載のセル関係設定装置、である。
【０１４０】
（別の構成例６：図２の例に対応）
前記した、ハンドオーバに関するメッセージに基づいて、セルの関係を記述するテーブルに未記述であるセルの存在が検出された場合として、自セル以外のセルのＰＣＩの情報を含むＲＲＣ  Ｃｏｎｎｅｃｔｉｏｎ  Ｒｅｅｓｔａｂｌｉｓｈｍｅｎｔ  Ｒｅｑｕｅｓｔのメッセージがあり、当該ＰＣＩに対応する当該セルの関係が前記テーブルに未記述である場合を用いる、ことを特徴とする（別の構成例１）から（別の構成例１）のいずれか１つに記載のセル関係設定装置、である。
【０１４１】
（別の構成例７：図３の例に対応）
前記した、ハンドオーバに関するメッセージに基づいて、セルの関係を記述するテーブルに未記述であるセルの存在が検出された場合として、前記テーブルに未記述であるセルに対してＴｓｔｏｒｅ＿ＵＥ＿ｃｎｔｘｔの時間以内にＵＥ  ＣＯＮＴＥＸＴ  ＲＥＬＥＡＳＥのメッセージが送信されたＣ−ＲＮＴＩ（ＵＥ−ＩＤ）についてＲＬＦ  Ｉｎｄｉｃａｔｉｏｎのメッセージがあった場合を用いる、ことを特徴とする（別の構成例１）から（別の構成例５）のいずれか１つに記載のセル関係設定装置、である。
【０１４２】
（別の構成例８：図４の例に対応）
前記した、ハンドオーバに関するメッセージに基づいて、セルの関係を記述するテーブルに未記述であるセルの存在が検出された場合として、ハンドオーバレポートタイプがＨＯ  ｔｏ  Ｗｒｏｎｇ  Ｃｅｌｌであるハンドオーバレポートのメッセージがあり、当該メッセージのＲｅｅｓｔａｂｌｉｓｈｍｅｎｔ  ＣｅｌｌのＰＣＩに対応するセルの関係が前記テーブルに未記述である場合を用いる、ことを特徴とする（別の構成例１）から（別の構成例５）のいずれか１つに記載のセル関係設定装置、である。
【０１４３】
（別の構成例９：ＥＣＧＩの解決）
セルのＥＣＧＩの情報を取得するＥＣＧＩ情報取得部（以上の実施形態では、ＥＣＧＩ解決機能部１５）を備え、そして、前記セル関係設定部は、前記セルの関係が前記テーブルに記述されるように前記テーブルを設定する場合に、当該セルのＥＣＧＩの情報が不明であるときには、前記ＥＣＧＩ情報取得部により取得される当該セルのＥＣＧＩの情報を用いる、ことを特徴とする（別の構成例１）、（別の構成例２）、（別の構成例６）、（別の構成例７）または（別の構成例８）のいずれか１つに記載のセル関係設定装置、である。
【０１４４】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【０１４５】
また、以上に示した実施形態に係る各装置の機能（例えば、隣接セル関係自動設定装置１などの機能）を実現するためのプログラムをコンピュータ読み取り可能な記録媒体に記録して、この記録媒体に記録されたプログラムをコンピュータシステムに読み込ませ、実行することにより、処理を行ってもよい。
【０１４６】
なお、ここで言う「コンピュータシステム」とは、オペレーティング・システム（Ｏｐｅｒａｔｉｎｇ  Ｓｙｓｔｅｍ；ＯＳ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【０１４７】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１４８】
１…隣接セル関係自動設定装置、１１…入力部、１２…出力部、１３…記憶部、１４…ＨＯ失敗に基づくＡＮＲ機能部、１５…ＥＣＧＩ解決機能部、１６…ＡＮＲ用ＭＲ閾値設定部、１７…判定部、１００１、１１０１−１、１１０１−２、１２０１−１、１２０１−２、１３０１−１、１３０１−２、１４０１−１、１４０１−２…移動端末、１０１１…隣接セルリスト、１１１１、１１１２…特性
【図１】
2013192095.tif 000004
【図２】
2013192095.tif 000005
【図３】
2013192095.tif 000006
【図４】
2013192095.tif 000007
【図５】
2013192095.tif 000008
【図６】
2013192095.tif 000009
【図７】
2013192095.tif 000010
【図８】
2013192095.tif 000011
【図９】
2013192095.tif 000012
【図１０】
2013192095.tif 000013
【図１１】
2013192095.tif 000014
【図１２】
2013192095.tif 000015